(57)【要約】【課題】遊技者に興趣を高める演出を行う。【解決手段】遊技状況を検出する遊技状況検出手段と、該遊技状況検出手段が検出した遊技状況に応じて、１つの演出物を２分割するようにして形成した第１の演出役物及び前記第２の演出役物を組み合わせて一つのデザインが構成されるように動作する可動役物装置とを備えた遊技機であって、前記第１の演出役物及び前記第２の演出役物は、前記演出物を前記スライド移動の方向と略平行に分割するようにして形成され、収納時には両分割面が対向するように、前記支持部の一端側及び他端側の収納位置にそれぞれ収納され、作動時には該収納位置から回転しながら該支持部の略中央の合体位置へスライド移動して、該演出物のデザインを構成するように組み合わされるようにした。【選択図】図１３
2015023889.tif 000002
【特許請求の範囲】
【請求項１】
遊技状況を検出する遊技状況検出手段と、該遊技状況検出手段が検出した遊技状況に応じて、１つの演出物を２分割するようにして形成した第１の演出役物及び前記第２の演出役物を組み合わせて一つのデザインが構成されるように動作する可動役物装置とを備えた遊技機であって、
前記可動役物装置は、前記遊技機に取り付けられる略矩形の窓枠状の支持部と、該支持部にスライド移動可能に支持される第１の可動部及び第２の可動部と、を備え、  前記第１の可動部は、スライド移動する第１のスライダと、該第１のスライダに回動可能に軸支された前記第１の演出役物と、該第１のスライダのスライド移動に伴い該第１の演出役物を回動させる第１のアーム部と、を有し、
前記第２の可動部は、スライド移動する第２のスライダと、該第２のスライダに回動可能に軸支された前記第２の演出役物と、該第２のスライダのスライド移動に伴い該第２の演出役物を回動させる第２のアーム部と、を有し、
前記支持部は、前記第１のスライダ及び前記第２のスライダを逆方向にスライド移動させるとともに、前記第１の演出役物と前記第２の演出役物とを同じ回転方向に回動させる駆動機構を有し、
前記第１の演出役物及び前記第２の演出役物は、前記演出物を前記スライド移動の方向と略平行に分割するようにして形成され、収納時には両分割面が対向するように、前記支持部の一端側及び他端側の収納位置にそれぞれ収納され、作動時には該収納位置から回転しながら該支持部の略中央の合体位置へスライド移動して、該演出物のデザインを構成するように組み合わされる、ことを特徴とする遊技機。
【請求項２】
前記支持部には、一端側が上方に他端側が下方に位置するように略同じ方向に傾斜した長孔である第１のカム孔と第２のカム孔が横並びに形成され、
前記第１のアーム部は、前記第１のカム孔に係合される第１の駆動突起と、前記第１の演出役物を回動させるための第１の作動孔と、を有し、
前記第２のアーム部は、前記第２のカム孔に係合される第２の駆動突起と、前記第２の演出役物を回動させるための第２の作動孔と、を有し、
前記第１の演出役物は、前記第１の作動孔に係合される第１の作動突起を有し、
前記第２の演出役物は、前記第２の作動孔に係合される第２の作動突起を有し、
前記第１のアーム部は、前記第１のスライダに上下動可能に支持され、前記第１のスライダのスライド移動に連動してスライド移動するとともに、前記第１の駆動突起が前記第１のカム孔に沿って移動することにより上下動し、
前記第１演出役物は、前記第１のアーム部の第１の作動孔が上下動することにより、該第１の作動孔に係合された第１の作動突起が上下動して、前記第１のスライダに軸支された第１の軸支部を中心として回動し、
前記第２のアーム部は、前記第２のスライダに上下動可能に支持され、前記第２のスライダのスライド移動に連動してスライド移動するとともに、前記第２の駆動突起が前記第２のカム孔に沿って移動することにより上下動し、
前記第２演出役物は、前記第２のアーム部の第２の作動孔が上下動することにより、該第２の作動孔に係合された第２の作動突起が上下動して、前記第２のスライダに軸支された第２の軸支部を中心として回動する、ことを特徴とする請求項１に記載の遊技機。
【請求項３】
前記第１の演出役物及び前記第２の演出役物の前記分割面には、合体した際に互いに入り込むような凹凸が形成されており、
前記第１のカム孔及び前記第２のカム孔は、前記合体位置側に前記収納位置側によりも傾斜の緩やかな略直線状の部分である合体位置側直線部分を設けられ、
前記合体位置側直線部分に到達するまでに、該第１の演出役物及び該第２の演出役物を、一方の凹凸が他方の凹凸に入り込む略直前の位置まで早い速度で回転させて回転移動を略終え、該合体位置側直線部分の移動により僅かに回転移動させて該凹凸部の傾斜に略沿うように斜め方向に移動させて合体するように構成した、ことを特徴とする請求項２に記載の遊技機。
【請求項４】
前記駆動機構は、水平方向に配設された駆動プーリ及び被動プーリと、これらプーリに掛装された無端状のベルトと、該駆動プーリを回転駆動する駆動手段と、を有し、
前記第１のスライダは、正面視において前記ベルトの上側部分と下側部分とのどちらか一方に固設されており、
前記第２のスライダは、正面視において前記ベルトの上側部分と下側部分とのどちらか他方に固設されている、ことを特徴とする請求項２又は３に記載の遊技機。
【請求項５】
前記第１スライダ又は／及び第２スライダの前面側には、正面視において収納位置に収納される前記第１の演出役物、前記第２の演出役物と重なる上端側又は／及び下端側に、前方に突出する突起が設けられている、ことを特徴とする請求項２乃至４のいずれか１つに記載の遊技機。
【発明の詳細な説明】
【技術分野】
【０００１】
本発明は、スロットマシン、パチンコあるいはパロット等の遊技機に関する。
【背景技術】
【０００２】
近年、遊技機の一種であるスロットマシン、パチンコ遊技機等には、駆動手段により駆動する可動役物が設けられている。遊技状況に応じて可動役物を動作させて様々な演出を行うことにより遊技者の遊技の興趣を向上させている。
【０００３】
例えば、特許文献１の特開２０１１−２０６３４４号「パチンコ機」においては、可変表示装置の下方位置に横臥姿勢にして待機させた半リング状の第１および第２の可動体を、可変表示装置の前方において起立姿勢とした後に、先端部同士、基端部同士を当接させて一体化し、１つのリング状の意匠とすることができる可動役物装置を有するパチンコ機が提案されている。
【先行技術文献】
【特許文献】
【０００４】
【特許文献１】特開２０１１−２０６３４４号公報
【発明の概要】
【発明が解決しようとする課題】
【０００５】
しかしながら、１つの演出物を垂直方向に分割して２つの可動体とした場合、演出物の意匠の構成によっては美感性に欠けてしまう場合があった。また、分割した２つの可動体をそれぞれの収納位置から一体化させて１つの意匠とするには、第１の可動体及び第２の可動体の位置がずれないように、各構成部材を精密に作製し組み立てなければならないという問題を有していた。
【０００６】
本発明は、上述した問題を解決するために創案されたものである。すなわち本発明の目的は、演出物を略水平方向に２つに分割するようにして形成した各可動体を、通常時には横臥状態で水平方向に離れた各収納位置に納め、作動時には中央の合体位置へスライド移動させながら上下に組み合わせて一意匠をとなるように合体させることができる可動役物装置を備えた遊技機を提供することにある。
【０００７】
本発明の遊技機は、遊技状況を検出する遊技状況検出手段と、該遊技状況検出手段が検出した遊技状況に応じて、１つの演出物を２分割するようにして形成した第１の演出役物及び前記第２の演出役物を組み合わせて一つのデザインが構成されるように動作する可動役物装置とを備えた遊技機であって、前記可動役物装置は、前記遊技機に取り付けられる略矩形の窓枠状の支持部と、該支持部にスライド移動可能に支持される第１の可動部及び第２の可動部と、を備え、  前記第１の可動部は、スライド移動する第１のスライダと、該第１のスライダに回動可能に軸支された前記第１の演出役物と、該第１のスライダのスライド移動に伴い該第１の演出役物を回動させる第１のアーム部と、を有し、前記第２の可動部は、スライド移動する第２のスライダと、該第２のスライダに回動可能に軸支された前記第２の演出役物と、該第２のスライダのスライド移動に伴い該第２の演出役物を回動させる第２のアーム部と、を有し、前記支持部は、前記第１のスライダ及び前記第２のスライダを逆方向にスライド移動させるとともに、前記第１の演出役物と前記第２の演出役物とを同じ回転方向に回動させる駆動機構を有し、前記第１の演出役物及び前記第２の演出役物は、前記演出物を前記スライド移動の方向と略平行に分割するようにして形成され、収納時には両分割面が対向するように、前記支持部の一端側及び他端側の収納位置にそれぞれ収納され、作動時には該収納位置から回転しながら該支持部の略中央の合体位置へスライド移動して、該演出物のデザインを構成するように組み合わされる、ことを特徴とする。
【発明の効果】
【０００８】
本発明の遊技機によれば、第１の演出役物と第２の演出役物を大きな部材としてダイナミックに合体させることができ、遊技者の興趣を高めることができる。
【図面の簡単な説明】
【０００９】
【図１】スロットマシンの正面図である。
【図２】前面扉を閉じた状態を示すスロットマシンの斜視図である。
【図３】前面扉を開いた状態を示すスロットマシンの斜視図である。
【図４】前面扉の背面図である。
【図５】筐体内部の正面図である。
【図６】各リールを構成する帯状のリールテープの展開図である。
【図７】セレクタの正面図である。
【図８】３枚賭け専用スロットマシンの正面図である。
【図９】スロットマシンの電気的構成を示すブロック図である。
【図１０】補助表示装置の分解斜視図である。
【図１１】補助表示装置の正面図である。
【図１２】図１１におけるＸ−Ｘ線断面図である。
【図１３】本体部の正面図である。
【図１４】本体部の背面図である。
【図１５】本体部の平面図である。
【図１６】本体部の分解斜視図である。
【図１７】右演出役物及び左演出役物の斜視図である。
【図１８】右可動部及び左可動部が収納位置にある状態を示す正面図である。
【図１９】右可動部及び左可動部が収納位置から合体位置へ移動する途中の状態を示す正面図である。
【図２０】右可動部及び左可動部が収納位置から合体位置へ移動する途中の状態を示す正面図である。
【図２１】右可動部及び左可動部が収納位置から合体位置へ移動する途中の状態を示す正面図である。
【図２２】右可動部及び左可動部が合体位置にある状態を示す正面図である。
【００１０】
以下、遊技機の一種であるスロットマシンの基本構成の形態について図面に基づいて説明し、その後、本発明の遊技機の技術的特徴部分である可動役物装置をスロットマシンに適用した場合の一実施形態を詳細に説明する。
【００１１】
図１はスロットマシンの正面図、図２はスロットマシンの前面扉を閉じた状態の斜視図、図３はスロットマシンの前面扉を開いた状態の斜視図、図４は前面扉の背面図、図５は筐体内部の正面図である。なお、以下、スロットマシンの説明において、前面扉が配置されている側を前面側又は前方、その反対側を背面側又は後方とし、上下左右の方向については、島設備に設置したスロットマシンを前面扉に対向して視認した状態を基準として表現する。
【００１２】
図１〜図５に示すように、スロットマシン１０は、その外殻を形成する筐体１１を備えている。筐体１１は、図３及び図５に示すように、木製板状に形成された天板１１ａ、底板１１ｂ、背板１１ｃ、左側板１１ｄ及び右側板１１ｅからなり、隣接する各板１１ａ〜１１ｅが接着等の固定手段によって固定されることにより、全体として前面を開放した箱状に形成されている。なお、各板１１ａ〜１１ｅは木製のパネルによって構成する以外に、合成樹脂製パネル又は金属製パネルによって構成してもよいし、合成樹脂材料又は金属材料によって一体の箱状に形成することによって構成してもよい。
以上のように構成された筐体１１は、遊技ホールへの設置の際にいわゆる島設備に対し釘を打ち付ける等して取り付けられる。
【００１３】
筐体１１の前面側には、前面開閉扉としての前面扉１２が開閉可能に取り付けられている。すなわち、筐体１１の左側板１１ｄには、図５に示すように、上下一対の支軸２５ａ，２５ｂが設けられている。支軸２５ａ，２５ｂは上方に向けて突出された先細り形状の軸部を備えている。一方、前面扉１２には、図４に示すように、各支軸２５ａ，２５ｂに対応して当該支軸２５ａ，２５ｂの軸部が挿入される挿入孔を備えた支持金具２６ａ，２６ｂが設けられている。そして、各支軸２５ａ，２５ｂの上方に支持金具２６ａ，２６ｂを配置させた上で前面扉１２を降下させることにより、支持金具２６ａ，２６ｂの挿入孔に支軸２５ａ，２５ｂの軸部が挿入された状態とされる。これにより、前面扉１２は筐体１１に対して両支軸２５ａ，２５ｂを結ぶ上下方向へ延びる開閉軸線を中心として回動可能に支持され、その回動によって筐体１１の前面開放側を開放したり閉鎖することができるように構成されている。
【００１４】
前面扉１２は、その裏面に設けられた施錠装置によって開放不能な施錠状態とされる。また、図１に示すように、前面扉１２の右端側上部には解錠操作部たるキーシリンダ２０が設けられている。キーシリンダ２０は施錠装置と一体化されており、キーシリンダ２０に対する所定のキー操作によって前記施錠状態が解除されるように構成されている。そこで、施錠装置を含むロック機構について概略を説明する。
【００１５】
前面扉１２の右端側、すなわち前面扉１２の開閉軸の反対側には、その裏面に施錠装置が設けられている。施錠装置は、図１、図３及び図４に示すように、上下方向に延び前面扉１２に固定された基枠と、基枠の上部から前面扉１２の前方に延びるように設けられたキーシリンダ２０と、基枠に対して上下方向に移動可能に組み付けられた長尺状の連動杆２１とを備えている。そして、施錠装置のうちキーシリンダ２０だけが前面扉１２の前方に突出した状態で設けられている。キーシリンダ２０が設けられる位置は前面扉１２の中でも肉厚の薄い上部位置とされており、その結果、全長の短い汎用性のあるキーシリンダ２０を採用することができる。なお、本実施の形態では、キーシリンダ２０として、不正解錠防止機能の高いオムロック（商標名）が用いられている。
【００１６】
連動杆２１は、キーシリンダ２０に差し込んだキーを時計回りに操作することで下方へ移動される。連動杆２１には、鉤形状をなす上下一対の鉤金具２２が設けられており、筐体１１に対して前面扉１２を閉鎖した際には、鉤金具２２が筐体１１側の係止金具２３に係止されて施錠状態となる。なお、鉤金具２２には施錠状態を維持する側へ付勢するコイルバネ等の付勢部材が設けられている。キーシリンダ２０に対してキーが時計回りに操作されると、連動杆２１が下方に移動し、前記付勢部材の付勢力に抗して鉤金具２２が移動されることにより当該鉤金具２２と係止金具２３との係止状態が解除され、筐体１１に対する前面扉１２の施錠状態が解除される。
【００１７】
前面扉１２の中央部上寄りには、図１及び図２に示すように、遊技者に遊技状態を報知する表示パネル３０が設けられている。表示パネル３０には、縦長の３つの表示窓３１Ｌ，３１Ｍ，３１Ｒが横並びとなるように形成されている。表示窓３１Ｌ，３１Ｍ，３１Ｒは透明又は半透明な材質により構成されており、各表示窓３１Ｌ，３１Ｍ，３１Ｒを通じてスロットマシン１０の内部が視認可能な状態となっている。なお、各表示窓３１Ｌ，３１Ｍ，３１Ｒを１つにまとめて共通の表示窓としてもよい。さらに表示パネル３０の左右には裏面側から照らされて明るく表示されることで、遊技者の興趣を向上させる演出等を行うための絵柄等が描かれている。
【００１８】
この表示パネル３０の裏面には、表示パネルの各表示窓３１Ｌ，３１Ｍ，３１Ｒから後述するリールの絵柄を視認することができるよう、その中央部が開口するほぼ矩形枠形のパネルユニット２０１が固定されている（図３、図４参照）。
【００１９】
表示パネルの裏面側にはランプ、７セグメント表示、ＬＥＤ、液晶表示等を行う各種表示装置が配置されており、各種表示装置のほとんどは、各々所定のプリント基板（表示パネル用基盤）上にＬＥＤ（光源）等が一体的に取り付けられて形成されている。そして各種表示装置を配したプリント基板が枠体に固定されることで各種表示装置が表示パネルの裏面に配置されてパネルユニット（裏面側部材）が構成される。
【００２０】
図３に示すように、筐体１１は分割横板４０によりその内部が上下２分割されており、分割横板４０の上部には、可変表示手段を構成するリールユニット４１が取り付けられている。リールユニット４１は、円筒状（円環状）にそれぞれ形成された左リール４２Ｌ，中リール４２Ｍ，右リール４２Ｒを備えている。なお、各リール４２Ｌ，４２Ｍ，４２Ｒは少なくとも無端状に構成されていればよく、円筒状（円環状）に限定されるものではない。
【００２１】
各リール４２Ｌ，４２Ｍ，４２Ｒは、その中心軸線が当該リールの回転軸線となるように回転可能に支持されている。各リール４２Ｌ，４２Ｍ，４２Ｒの回転軸線は略水平方向に延びる同一軸線上に配設され、それぞれのリール４２Ｌ，４２Ｍ，４２Ｒが各表示窓３１Ｌ，３１Ｍ，３１Ｒと１対１で対応している。従って、各リール４２Ｌ，４２Ｍ，４２Ｒの表面の一部はそれぞれ対応する表示窓３１Ｌ，３１Ｍ，３１Ｒを通じて視認可能な状態となっている。また、リール４２Ｌ，４２Ｍ，４２Ｒが正回転すると、各表示窓３１Ｌ，３１Ｍ，３１Ｒを通じてリール４２Ｌ，４２Ｍ，４２Ｒの表面は上から下へ向かって移動しているかのように映し出される。
【００２２】
これら各リール４２Ｌ，４２Ｍ，４２Ｒは、それぞれがモータプレート（図示せず）に固定されたリール駆動モータ（ステッピングモータ）６１Ｌ，６１Ｍ，６１Ｒ（図９参照）に連結されており、各リール駆動モータの駆動により各リール４２Ｌ，４２Ｍ，４２Ｒが個別に、即ちそれぞれ独立して回転駆動し得る構成となっている。
【００２３】
各リール４２Ｌ，４２Ｍ，４２Ｒは、円筒状の枠体を形成するリール枠（図示せず）と、その外周面において無端状に巻かれた帯状のリールテープとを備えている。そして、その巻かれた状態を維持するように、リールテープの長辺両側に沿って形成された一対のシール部を介してリール枠に貼付されている。前記リールテープの外周面には、識別情報としての絵柄が等間隔ごとに多数印刷されている。
【００２４】
また、リールユニット４１には、リールインデックスセンサ５５Ｌ，５５Ｍ，５５Ｒ（図９参照）が設置されている。各リールインデックスセンサ５５Ｌ，５５Ｍ，５５Ｒとしては、例えば、発光素子と受光素子とが所定間隔をおいて保持された透過型フォトセンサ等を採用することができる。そして、各リールインデックスセンサ５５Ｌ，５５Ｍ，５５Ｒは、各リール４２Ｌ，４２Ｍ，４２Ｒがほぼ１周するごとに図示しないセンサカットバンが両素子間を通過するのを検出し、その都度、後述する主制御装置１３１に対し検出信号を出力する。主制御装置１３１（図９参照）は、この検出信号に基づいて各リール４２Ｌ，４２Ｍ，４２Ｒの回転位置をほぼ１周するごとに確認し補正できる。
【００２５】
例えば、本実施形態では、各リール４２Ｌ，４２Ｍ，４２Ｒの各リールテープ上には、その長辺方向（周回方向）に複数個、具体的には２１個の絵柄が描かれ、ステッピングモータ６１Ｌ，６１Ｍ，６１Ｒは５０４パルスの駆動信号（励磁信号あるいは励磁パルスとも言う。以下同じ）を与えることにより１回転されるように設定されている。従って、所定の位置においてある絵柄から次の絵柄へ切り替えるにはリール駆動モータ６１Ｌ，６１Ｍ，６１Ｒが２４パルス（＝５０４パルス÷２１絵柄）を生成する。そのためリールインデックスセンサ５５Ｌ，５５Ｍ，５５Ｒ（図９参照）の検出信号が出力された時点からのパルス数により、どの絵柄が表示窓３１（３１Ｌ，３１Ｍ，３１Ｒ）から視認可能な状態となっているかを認識したり、任意の絵柄をリール表示窓３１から視認可能な状態としたりする制御を行うことができる。
【００２６】
各リール４２Ｌ，４２Ｍ，４２Ｒに付された絵柄のうち、表示窓３１Ｌ，３１Ｍ，３１Ｒを介して全体を視認可能な絵柄数は、主として表示窓３１Ｌ，３１Ｍ，３１Ｒの上下方向の長さによって決定される所定数に限られている。本実施形態では各リール３個ずつとされている。このため、各リール４２Ｌ，４２Ｍ，４２Ｒがすべて停止している状態では、３×３＝９個の絵柄が遊技者に視認可能な状態となる。
【００２７】
表示パネル３０には、図１に示すように、各表示窓３１Ｌ，３１Ｍ，３１Ｒを結ぶようにして、横方向へ平行に３本、斜め方向へたすき掛けに２本、計５本の組合せラインが付されている。勿論、最大組合せライン数を６以上としてもよく、５未満としてもよく、所定条件に応じて最大組合せライン数を変更するようにしてもよい。これら各組合せラインに対応して、表示窓３１Ｌ，３１Ｍ，３１Ｒ群の正面から見て左側には有効ライン表示部３２，３３，３４が設けられている。第１有効ライン表示部３２は組合せラインのうち中央の横ライン（中央ライン）が有効化された場合に点灯等によって表示報知される。第２有効ライン表示部３３は組合せラインのうち上下の横ライン（上ライン及び下ライン）が有効化された場合に点灯等によって表示報知される。第３有効ライン表示部３４は組合せラインのうち一対の斜めライン（右下がりライン及び右上がりライン）が有効化された場合に点灯等によって表示報知される。そして、有効化された組合せライン、すなわち有効ライン上に絵柄が所定の組合せで停止した場合に入賞となり、予め定められたメダル払出処理や特定遊技への移行処理などが実行される。
【００２８】
次に、各リール４２Ｌ，４２Ｍ，４２Ｒに付される絵柄について説明する。
図６には、左リール４２Ｌ，中リール４２Ｍ，右リール４２Ｒのそれぞれに巻かれるリールテープに描かれた絵柄配列が示されている。同図に示すように、各リール４２Ｌ，４２Ｍ，４２Ｒにはそれぞれ２１個の絵柄が一列に設けられている。各リール４２Ｌ，４２Ｍ，４２Ｒに対応して番号が１〜２１まで付されているが、これは説明の便宜上付したものであり、リール４２Ｌ，４２Ｍ，４２Ｒに実際に付されているわけではない。但し、以下の説明では当該番号を使用して説明する。
【００２９】
絵柄としては、ビッグボーナスゲームに移行するための第１特別絵柄としての「７」絵柄（例えば、左リールテープ第２０番目）と「青年」絵柄（例えば、左リールテープ１９番目）とがある。また、レギュラーボーナスゲームに移行するための第２特別絵柄としての「ＢＡＲ」絵柄（例えば、左リールテープ第１４番目）がある。また、リプレイゲームに移行するための第３特別絵柄としての「リプレイ」絵柄（例えば、左リールテープ第１１番目）がある。また、小役の払出が行われる小役絵柄としての「スイカ」絵柄（例えば、左リールテープ第９番目）、「ベル」絵柄（例えば、左リールテープ第８番目）、「チェリー」絵柄（例えば、左リールテープ第４番目）がある。そして、各リール４２Ｌ，４２Ｍ，４２Ｒに巻かれるリールテープにおいて、各種絵柄の数や配置順序は全く異なっている。
【００３０】
ここで、入賞となった場合の各絵柄に関する払出枚数について説明する。小役絵柄に関し、「スイカ」絵柄が有効ライン上に左・中・右と揃った場合には１５枚のメダル払出、「ベル」絵柄が有効ライン上に左・中・右と揃った場合には８枚のメダル払出、左リール４２Ｌの「チェリー」絵柄が有効ライン上に停止した場合には２枚のメダル払出が行われる。即ち、中リール４２Ｍ及び右リール４２Ｒの「チェリー」絵柄はメダル払出と無関係である。また、「チェリー」絵柄に限っては、他の絵柄との組合せとは無関係にメダル払出が行われるため、左リール４２Ｌの複数の有効ラインが重なる位置（具体的には上段又は下段）に「チェリー」絵柄が停止した場合には、その重なった有効ラインの数を乗算した分だけのメダル払出が行われることとなり、結果として本実施の形態では４枚のメダル払出が行われる。
【００３１】
また、その他の絵柄に関しては、第１特別絵柄（ビッグボーナス絵柄）の組合せである「７」絵柄又は「青年」絵柄が同一絵柄にて有効ライン上に左・中・右と揃った場合には１５枚のメダル払出、第２特別絵柄（レギュラーボーナス絵柄）の組合せである「ＢＡＲ」絵柄が有効ライン上に左・中・右と揃った場合にも１５枚のメダル払出が行われる。なお、本実施形態においては、例えば「７」絵柄と「チェリー」絵柄とが同時に成立する場合が生じ得るが、かかる場合におけるメダル払出は１５枚である。これは、１回のメダル払出における上限枚数が１５枚に設定されているためである。
【００３２】
更に、第３特別絵柄の組合せである「リプレイ」絵柄が有効ライン上に左・中・右と揃った場合にはメダル払出は行われない。その他の場合、即ち有効ライン上に左リール４２Ｌの「チェリー」絵柄が停止せず、また有効ライン上に左・中・右と同一絵柄が揃わない場合には、一切メダル払出は行われない。
【００３３】
表示パネル３０の下方左側には、図１に示すように、各リール４２Ｌ，４２Ｍ，４２Ｒを一斉（同時である必要はない）に回転開始させるために操作されるスタートレバー７１が設けられている。スタートレバー７１はリール４２Ｌ，４２Ｍ，４２Ｒを回転開始、すなわち可変表示を開始させるべく操作される始動操作手段を構成する。スタートレバー７１は、遊技者がゲームを開始するときに手で押し操作するレバーであり、手が離れたあと元の位置に自動復帰する。メダルが投入されているときにこのスタートレバー７１が操作されると、各リール４２Ｌ，４２Ｍ，４２Ｒが一斉に回転を始める。
【００３４】
スタートレバー７１の右側には、回転している各リール４２Ｌ，４２Ｍ，４２Ｒを個別に停止させるために操作されるボタン状のストップスイッチ７２，７３，７４が設けられている。各ストップスイッチ７２，７３，７４は停止対象となるリール４２Ｌ，４２Ｍ，４２Ｒに対応する表示窓３１Ｌ，３１Ｍ，３１Ｒの直下にそれぞれ配置されている。ストップスイッチ７２，７３，７４はリール４２Ｌ，４２Ｍ，４２Ｒの回転に基づく可変表示を停止させるべく操作される停止操作手段を構成する。各ストップスイッチ７２，７３，７４は、各リール４２Ｌ，４２Ｍ，４２Ｒが定速回転となると停止させることが可能な状態となり、かかる状態中には図示しないランプが点灯表示されることによって停止操作が可能であることが報知され、回転が停止すると消灯されるようになっている。
【００３５】
表示窓３１Ｌ，３１Ｍ，３１Ｒの下方右側には、投資価値としてのメダルを投入するためのメダル投入口７５が設けられている。メダル投入口７５は投資価値を入力する入力手段を構成する。また、メダル投入口７５が遊技者によりメダルを直接投入するという動作を伴う点に着目すれば、投資価値を直接入力する直接入力手段を構成するものともいえる。
【００３６】
メダル投入口７５から投入されたメダルは、図３及び図４に示すように、前面扉１２の背面に設けられたセレクタ８３によって貯留用通路８１か排出用通路８２のいずれかへ導かれる。セレクタ８３には、後述するメダル通路切替部材８４が設けられ、そのメダル通路切替部材８４の状態に応じてメダルの通過方向が排出用通路８２側か、貯留用通路８１側かで切り替えられるようになっている。貯留用通路８１に導かれたメダルは、筐体１１の内部に収納されたホッパ装置９１へと導かれる。一方、排出用通路８２に導かれたメダルは、前面扉１２の前面下部に設けられたメダル排出口１７からメダル受け皿１８へと導かれ、遊技者に返却される。
【００３７】
図７は、セレクタ８３の内部構造を示す図である。なお、図中の２点鎖線は、理解を容易なものとするためにメダルの通過経路を示したものである。セレクタ８３には、メダル投入口７５から投入されたメダルを貯留用通路８１へ導くための案内通路８５が形成されている。案内通路８５は、メダルが１列で通行可能なようにして、図の上端部から右下部にかけて弧を描くような曲線状に形成されている。より詳しくは、セレクタ８３を構成するセレクタボディには、図の手前側に突出する突条８５ａが設けられており、その突条８５ａに沿って案内通路８５が形成されている。これにより、案内通路８５に到達したメダルは、突条８５ａ上を転がるようにして下流方向へ流れることとなる。
【００３８】
メダル通路切替部材８４は、案内通路８５の上流部に設けられ該案内通路８５に対して出没可能な通路切替片８４ａと、この通路切替片８４ａを動作させるためのソレノイド８４ｂ（図９参照）とを有している。ソレノイド８４ｂの非励磁時には案内通路８５内に通路切替片８４ａが突出し、貯留用通路８１へのメダルの流れが阻害される。これにより、メダルは前記突条８５ａを乗り越えるようにして下方に落下し、排出用通路８２に導かれる。また、ソレノイド８４ｂの励磁時には案内通路８５外に通路切替片８４ａが没する。これにより、メダルは案内通路８５に沿って流れ、貯留用通路８１に導かれる。
【００３９】
通路切替片８４ａの下流側には、メダルの通過を検出する第１投入メダル検出センサ８６と、第２投入メダル検出センサ８７とが案内通路８５の上流下流に並ぶようにして近接配置されている（少なくとも１時期において同一メダルを同時に検出する状態が生じる程度の近接状態とする）。メダル通路切替部材８４のソレノイド８４ｂの非励磁時には、メダルは案内通路８４の途中から下方に落下するため、各投入メダル検出センサ８６，８７によりメダルの通過が検出されることがない。一方、メダル通路切替部材８４のソレノイド８４ｂの励磁時には、各投入メダル検出センサ８６，８７によりメダルの通過が順次検出される。
【００４０】
メダルを遊技者に付与する払出手段としてのホッパ装置９１は、図３及び図５に示すように、メダルを貯留する貯留タンク９２と、メダルを遊技者に払い出す払出装置９３とを備える。払出装置９３は、図示しないメダル払出用回転板を回転させることにより、排出用通路８２の中央右部に設けられた開口９４へメダルを排出し、排出用通路８２を介してメダル受け皿１８へメダルを払い出すようになっている。また、ホッパ装置９１の右方には、貯留タンク９２内に所定量以上のメダルが貯留されることを回避するための予備タンク９５が設けられている。ホッパ装置９１の貯留タンク９２内部には、この貯留タンク９２から予備タンク９５へとメダルを排出する誘導プレート９６が設けられている。したがって、誘導プレート９６が設けられた高さ以上にメダルが貯留された場合、かかるメダルが予備タンク９５に貯留されることとなる。
【００４１】
メダル投入口７５の下方には、ボタン状の返却スイッチ７６が設けられている（図１参照）。返却スイッチ７６は、メダル投入口７５に投入されたメダルがセレクタ８３内に詰まった際に押されるスイッチであり、このスイッチが押されることによりセレクタ８３が機械的に連動して動作され、当該セレクタ８３内に詰まったメダルがメダル排出口１７より返却されるようになっている。
【００４２】
図３および図５に示した筐体１１の内部においてホッパ装置９１の左方には、電源ボックス１２１が設けられている。電源ボックス１２１は、電源スイッチ１２２やリセットスイッチ１２３や設定キー挿入孔１２４などを備えている。電源スイッチ１２２は、主制御装置１３１を始めとする各部に電源を供給するための起動スイッチである。
【００４３】
リセットスイッチ１２３は、スロットマシン１０の各種状態をリセットするためのスイッチである。本スロットマシン１０は各種データのバックアップ機能を有しており、万一停電が発生した際でも停電時の状態を保持し、停電からの復帰（復電）の際には停電時の状態に復帰できるようになっている。従って、例えば遊技ホールの営業が終了する場合のように通常手順で電源を遮断すると遮断前の状態が記憶保持されるが、リセットスイッチ１２３を押しながら電源スイッチ１２２をオンすると、バックアップデータがリセットされるようになっている。また、電源スイッチ１２２がオンされている状態でリセットスイッチ１２３を押した場合には、エラー状態がリセットされる。
【００４４】
設定キー挿入孔１２４は、ホール管理者などがメダルの出玉調整を行うためのものである。すなわち、ホール管理者等が設定キーを設定キー挿入孔１２４へ挿入して操作することにより、スロットマシン１０の設定状態（当選確率設定処理）を「設定１」から「設定６」まで変更できるようになっている。
【００４５】
リールユニット４１の上方には、図５に示すように、主制御装置１３１が筐体１１の背板１１ｃに取り付けられている。主制御装置１３１は、主たる制御を司るＣＰＵ、遊技プログラムを記憶したＲＯＭ、遊技の進行に応じた必要なデータを一時的に記憶するＲＡＭ、各種機器との連絡をとるポート、時間計数や同期を図る場合などに使用されるクロック回路等を含む主基板を具備しており、主基板が透明樹脂材料等よりなる被包手段としての基板ボックスに収容されて構成されている。
【００４６】
図１に示すように、表示窓３１Ｌ，３１Ｍ，３１Ｒの下方左側には、投資価値としてのクレジットされた仮想メダルを一度に３枚投入するためのボタン状の第１クレジット投入スイッチ７７が設けられている。また、第１クレジット投入スイッチ７７の左方には当該スイッチ７７よりも小さなボタン状のスイッチとして、第２クレジット投入スイッチ７８及び第３クレジット投入スイッチ７９が設けられている。第２クレジット投入スイッチ７８はクレジットされた仮想メダルを一度に２枚投入するためのものであり、第３クレジット投入スイッチ７９は仮想メダルを１枚投入するためのものである。各クレジット投入スイッチ７７〜７９は前記メダル投入口７５とともに投資価値を入力する入力手段を構成する。また、メダル投入口７５が遊技者によりメダルを直接投入するという動作を伴うのに対し各クレジット投入スイッチ７７〜７９は貯留記憶に基づく仮想メダルの投入という動作を伴うに過ぎない点に着目すれば、投資価値を間接入力する間接入力手段を構成するものともいえる。
【００４７】
なお、第１クレジット投入スイッチ７７は、１ゲームにつき投入できるメダル最大数（３枚）に達していないことを促すため、図示しない発光部材としてのランプが内蔵されている。当該ランプは、第１クレジット投入スイッチ７７のスイッチ操作が有効である状況時において点灯されて当該スイッチ７７の操作を促すが、クレジットされた仮想メダルが存在しない場合や既に３枚のメダル投入がなされている状況下では消灯される。ここで、上記点灯に代えて、点滅させてメダル投入の促しを遊技者に一層分かり易くしてもよい。
【００４８】
スタートレバー７１の左側には、ボタン状の切換スイッチ８０が設けられている。切換スイッチ８０は、１度押されるとオン状態になり、もう１度押されるとオフ状態になり、その後押下操作が行われるごとにオンオフが切り替わるトグル式に構成されている。切換スイッチ８０は、メダル投入口７５に必要量より多く投入された投入メダルや、所定の遊技の結果遊技者に返還される獲得メダルの取扱形式を変更するために操作される。
【００４９】
切換スイッチ８０がオン状態のときには、所定の最大値（例えばメダル５０枚分）となるまでの余剰の投入メダルや入賞時の獲得メダルがクレジットメダルとして貯留記憶されるように設定された「クレジットモード」となる。切換スイッチ８０がオフ状態のときには、余剰の投入メダルや入賞時の獲得メダルを現実のメダルとして払い出すように設定された「ダイレクトモード」となる。なお、クレジットモードからダイレクトモードに切り換えられた際にクレジットメダルがある場合には、その分のクレジットメダルが現実のメダルとして払い出される。このように、遊技者はクレジットモードとダイレクトモードとを切り換えることにより自身の好みに応じた形式で遊技を実行することができる。かかる切換スイッチ８０は投入価値及び遊技価値の取扱形式を切り換える切換操作手段を構成する。また、クレジットされた仮想メダルを現実のメダルとして払い出すという機能に着目すれば、切換スイッチ８０は貯留記憶された遊技価値を実際に払い出すための精算操作手段を構成するものともいえる。なお、切換スイッチ８０の操作により「クレジットモード」と「ダイレクトモード」とを切り換えるように構成する他、常に「クレジットモード」としておき切換スイッチ８０が操作されると貯留記憶された仮想メダルを払い出すだけの精算スイッチとして機能させてもよい。
【００５０】
表示パネル３０の表示窓３１Ｌ，３１Ｍ，３１Ｒ下方には、クレジットモード時に有効化されて貯留記憶されたメダル数を表示する残数表示部３５と、ビッグボーナスやレギュラーボーナス等の特別遊技状態の際に例えば残りのゲーム数等を表示するゲーム数表示部３６と、獲得メダルの枚数を表示する獲得枚数表示部３７とがそれぞれ設けられている。これら表示部３５〜３７は７セグメント表示器によって構成されているが、液晶表示器等によって代替することは当然可能である。
【００５１】
ここで、メダルがベットされる手順について説明する。ダイレクトモード、クレジットモードのいずれのモードにおいても、遊技の開始時にメダル投入口７５からメダルが投入されるとベットとなる。
【００５２】
すなわち、１枚目のメダルがメダル投入口７５に投入されると、第１有効ライン表示部３２が点灯し、そしてこれに対応する中央ラインが有効ラインとなり、２枚目のメダルがメダル投入口７５に投入されると、更に第２有効ライン表示部３３が点灯すると共に、これに対応する上ライン及び下ラインを含む合計３本の組合せラインがそれぞれ有効ラインとなり、３枚目のメダルがメダル投入口７５に投入されると、更に第３有効ライン表示部３４が点灯し、そしてこれに対応する一対の斜めラインを含む合計５本の組合せライン全てが有効ラインとなる。
【００５３】
また、４枚以上のメダルがメダル投入口７５に投入されると、３枚を超える余剰メダルは、そのときのモードがダイレクトモードであればセレクタ８３により排出用通路８２への切替がなされてメダル排出口１７からメダル受け皿１８へ返却される。一方、クレジットモードであればスロットマシン内部に貯蓄されると共に残数表示部３５に貯蓄枚数が表示される。この貯留枚数には上限枚数が決められており（例えば５０枚）、それを越える枚数のメダルが投入されたときにはメダル排出口１７からメダル受け皿１８へ返却される。
【００５４】
また、クレジットモードにて遊技が行われ且つ残数表示部３５に貯留枚数が表示されている場合には、第１〜第３クレジット投入スイッチ７７〜７９のいずれかが押された際にも仮想メダルが投入されたこととなりベットとなる。
【００５５】
第３クレジット投入スイッチ７９が押された際には、仮想メダルが１枚投入されたこととして残数表示部３５に表示されている数値が１つディクリメントされ、第１有効ライン表示部３２が点灯して中央ラインが有効ラインとなる。第２クレジット投入スイッチ７８が押された際には、仮想メダルが２枚投入されたこととして残数表示部３５に表示されている数値が２つディクリメントされ、第１有効ライン表示部３２および第２有効ライン表示部３３が点灯して合計３本の組合せラインが有効ラインとなる。第１クレジット投入スイッチ７７が押された際には、仮想メダルが３枚投入されたこととして残数表示部３５に表示されている数値が３つディクリメントされ、全ての有効ライン表示部３２〜３４が点灯して合計５本の組合せラインが有効ラインとなる。
【００５６】
なお、第１〜第３クレジット投入スイッチ７７〜７９のいずれかが押された際に投入されるべき仮想メダルが貯留されていない場合、例えば残数表示部３５の表示が２のときに第１クレジット投入スイッチ７７が押された場合等には、残数表示部３５の数値が全てディクリメントされて０となり、投入可能な仮想メダル分だけベットされる。
【００５７】
前面扉１２の上部には、遊技の進行に伴い点灯したり点滅したりする上部ランプ１３と、遊技の進行に伴い種々の効果音を鳴らしたり、遊技者に遊技状態を報知したりする左右一対のスピーカ１４と、遊技者に各種情報を与える補助表示部１５及び本発明の特徴であり遊技状況に応じて動作する可動役物装置２０００を備えた補助表示装置１０００とが設けられている。補助表示部１５は、本実施形態では表示内容の多様化及び表示演出の重厚化を意図して液晶表示器によって構成されているが、ドットマトリックス表示器等の他の表示器を使用してもよい。可動役物装置２０００は、通常時には遊技者から視認できないようにそれぞれ補助表示部１５の左側方前面側と右側方前面側に収納され、動作時には補助表示部１５の前面側に出現して合体し、その後元の位置に戻る右可動部５００及び左可動部６００（図１０，１１参照）を有する。補助表示装置１０００の背面には、上部ランプ１３、補助表示装置１０００及びスピーカ１４を駆動させるための表示制御装置１１１が設けられている。補助表示装置１０００は、遊技の進行に伴って各種表示演出を実行するためのものであり、各リール４２Ｌ，４２Ｍ，４２Ｒによる遊技を主表示と考えることができることから、本実施形態では補助表示装置１０００と称している。補助表示装置１０００の詳細については後述する。なお、上部ランプ１３及びスピーカ１４の位置や数は特に以上説明したものに限られない。
【００５８】
メダル受け皿１８の上方には、機種名や遊技に関わるキャラクタなどが表示された下段プレート１６が装着されている。また、メダル受け皿１８の左方には、手前側下方に反転可能な灰皿１９が設けられている。
【００５９】
以上に説明したスロットマシンはいわゆる１枚賭の機種であるが、スロットマシンにはその他にも図８に正面図で示した機種のようないわゆる３枚賭専用のものもある。このスロットマシンでは上記した組合せラインは付されているものの、図１のスロットマシンのように有効ライン表示部は設けられていない。そしてその代わりにこの部分（表示窓３１Ｌの左側）には、その上半分のスペースにキャラクタなどの絵柄５２ａが描かれ、下半分のスペースには「左」「中」「右」の文字が書かれた３つの表示領域である指示表示部５１Ｌ，５１Ｍ，５１Ｒが設けられている。この指示表示部５１Ｌ，５１Ｍ，５１Ｒは遊技者に対して当選した役を揃えるための指示を与えるための表示であり、ストップスイッチ７２，７３，７４の押し順をガイドすべく所定の順番で明るく表示されるようになっている。また表示窓３１Ｒの右側の領域には遊技者の興趣を向上させるための絵柄５２ｂが描かれており、この絵柄も遊技中所定のタイミングで明るく表示されるようになっている。なおこのスロットマシン１０は３枚賭専用の機種であるため、図１等に示した第２クレジット投入スイッチ７８や第３クレジット投入スイッチ７９は設けられておらず、第１クレジット投入スイッチ７７のみが設けられている。
【００６０】
そして、実際のメダル３枚が投入されるかクレジットされた仮想メダルが３枚分投入されて初めて、スタートレバー７１の操作により各リール４２Ｌ，４２Ｍ，４２Ｒが回転を開始するようになっている。ここで３枚賭専用の機種であっても当然、通常のスロットマシンでメダルを３枚投入した時と同様に、中央ライン、上ライン、下ライン、一対の斜めラインの合計５本の組合せラインの全てが有効ラインとなっている。それ以外の点については通常のスロットマシンと３枚賭専用スロットマシンとで特に大きく異なる点はない。
【００６１】
なお上述のように３枚賭専用のスロットマシンでは、第２クレジット投入スイッチや第３クレジット投入スイッチがその外装には設けられていないが、その内部構造としては各スイッチに対応可能となっているため、必要に応じて操作パネル５９の交換や一部改変などによりスイッチを設けてやることができるようになっている。
【００６２】
次に、本スロットマシン１０の電気的構成について、図９のブロック図に基づいて説明する。
主制御装置１３１には、演算処理手段であるＣＰＵ１５１を中心とするマイクロコンピュータが搭載されている。ＣＰＵ１５１には、電源ボックス１２１の内部に設けられた電源装置１６１の他に、所定周波数の矩形波を出力するクロック回路１５４や、入出力ポート１５５などが内部バスを介して接続されている。かかる主制御装置１３１は、スロットマシン１０に内蔵されるメイン基板としての機能を果たすものである。
【００６３】
主制御装置１３１の入力側には、スタートレバー７１の操作を検出するスタート検出センサ７１ａ、各ストップスイッチ７２，７３，７４の操作を個別に検出するストップ検出センサ７２ａ，７３ａ，７４ａ、メダル投入口７５から投入されたメダルを検出する投入メダル検出センサ７５ａ、各クレジット投入スイッチ７７，７８の操作を個別に検出するクレジット投入検出センサ７７ａ，７８ａ、切換スイッチ８０の操作を検出する切換検出センサ８０ａ、各リール４２Ｌ，４２Ｍ，４２Ｒの回転位置を個別に検出するリールインデックスセンサ５５Ｌ，５５Ｍ，５５Ｒ、ホッパ装置９１から払い出されるメダルを検出する払出検出センサ９１ａ、リセット操作を検出するリセット検出センサ６４０、設定キー挿入孔１２４に設定キーが挿入されたことを検出する設定キー検出センサ１２４ａ、前面扉１２の開放を検出するための開放検知スイッチ８２０（図４参照）等の各種センサが接続されており、これら各種センサからの信号は入出力ポート１５５を介してＣＰＵ１５１に出力されるようになっている。
【００６４】
なお、投入メダル検出センサ７５ａは実際には複数個のセンサより構成されている。即ち、メダル投入口７５からホッパ装置９１に至る貯留用通路８１は、その上流部において、メダルが１列で通行可能なように構成されている。そして、貯留用通路８１の上流部には第１センサが設けられるとともに、それよりメダルの幅以上離れた下流側に第２センサ及び第３センサが近接（少なくとも一時期において同一メダルを同時に検出する状態が生じる程度の近接）して設けられており、これら第１乃至第３の各センサによって投入メダル検出センサ７５ａが構成されている。主制御装置１３１は、第１センサから第２センサに至る時間を監視し、その経過時間が所定時間を越えた場合にはメダル詰まり又は不正があったものとみなしてエラーとする。エラーになると、エラー報知が行われるとともにエラー解除されるまでの遊技者による操作が無効化される。また、主制御装置１３１は第２センサと第３センサとがオンオフされる順序をも監視し、第２，第３センサが共にオフ、第２センサのみオン、第２，第３センサが共にオン、第３センサのみオン、第２，第３センサが共にオフという順序通りになった場合で、かつ各オンオフ切換に移行する時間が所定時間内である場合にのみメダルが正常に取り込まれたと判断し、それ以外の場合はエラーとする。このようにするのは、貯留用通路８１でのメダル詰まりの他、メダルを投入メダル検出センサ７５ａ付近で往復動させてメダル投入と誤認させる不正を防止するためである。
【００６５】
また、主制御装置１３１の入力側には、入出力ポート１５５を介して電源装置１６１に設けられた停電監視回路１６１ｂが接続されている。なお、電源装置１６１には、主制御装置１３１を始めとしてスロットマシン１０の各電子機器に駆動電力を供給する電源部１６１ａや、上述した停電監視回路１６１ｂなどが搭載されている。
【００６６】
停電監視回路１６１ｂは電源の遮断状態を監視し、停電時はもとより、電源スイッチ１２２による電源遮断時に停電信号を生成するためのものである。この例では直流１２ボルトの安定化駆動電圧を監視し、この駆動電圧が例えば１０ボルト未満まで低下したとき電圧が遮断されたものと判断して停電信号が出力されるように構成されている。停電信号はＣＰＵ１５１と入出力ポート１５５のそれぞれに供給され、ＣＰＵ１５１ではこの停電信号を認識することにより所定の停電時処理が実行される。
【００６７】
電源部１６１ａからは出力電圧が１０ボルト未満まで低下した場合でも、主制御装置１３１などの制御系における駆動電圧として使用される５ボルトの安定化電圧が出力されるように構成されており、この安定化電圧が出力されている時間としては、主制御装置１３１による停電時処理を実行するに十分な時間が確保されている。
【００６８】
主制御装置１３１の出力側には、各有効ライン表示部３２，３３，３４、残数表示部３５、ゲーム数表示部３６、獲得枚数表示部３７、各リール４２Ｌ，４２Ｍ，４２Ｒを回転させるための各ステッピングモータ６１Ｌ，６１Ｍ，６１Ｒ、セレクタ８３に設けられたメダル通路切替ソレノイド８４ｂ、ホッパ装置９１、表示制御装置１１１、遊技ホールのホール管理装置などに情報を送信できる外部集中端子板１７１等が入出力ポート１５５を介して接続されている。
【００６９】
表示制御装置１１１は、上部ランプ１３、スピーカ１４及び補助表示装置１０００を駆動させるための制御装置であり、これらを駆動させるためのＣＰＵ、ＲＯＭ、ＲＡＭ等が一体化された基板を備えている。そして、主制御装置１３１からの信号を受け取った上で、表示制御装置１１１が独自に上部ランプ１３、スピーカ１４及び補助表示装置１０００を駆動制御する。従って、表示制御装置１１１は、遊技を統括管理するメイン基板たる主制御装置１３１との関係では補助的な制御を実行するサブ基板となっている。即ち、間接的な遊技に関する音声やランプ、表示についてはサブ基板を設けることにより、メイン基板の負担軽減を図っている。なお、各種表示部３２〜３７を表示制御装置１１１が制御する構成としてもよい。また、上部ランプ１３、スピーカ１４及び補助表示装置１０００のうちのいずれか１つ以上を主制御装置１３１が直接駆動する構成としてもよく、例えば表示制御装置１１１を設けない構成としてもよい。
【００７０】
上述したＣＰＵ１５１には、このＣＰＵ１５１によって実行される各種の制御プログラムや固定値データを記憶したＲＯＭ１５２と、このＲＯＭ１５２内に記憶されている制御プログラムを実行するに当たって各種のデータを一時的に記憶する作業エリアを確保するためのＲＡＭ１５３のほかに、図示はしないが周知のように割込み回路を始めとしてタイマ回路、データ送受信回路などスロットマシン１０において必要な各種の処理回路や、クレジット枚数をカウントするクレジットカウンタなどの各種カウンタが内蔵されている。ＲＯＭ１５２とＲＡＭ１５３によって記憶手段としてのメインメモリが構成され、各種処理を実行するためのプログラムは、制御プログラムの一部として上述したＲＯＭ１５２に記憶されている。
【００７１】
ＲＡＭ１５３は、スロットマシン１０の電源が遮断された後においても電源ボックス１２１内に設けられた電源装置１６１からバックアップ電圧が供給されてデータを保持（バックアップ）できる構成となっており、ＲＡＭ１５３には、各種のデータ等を一時的に記憶するためのメモリやエリアの他に、バックアップエリアが設けられている。
【００７２】
バックアップエリアは、停電などの発生により電源が遮断された場合において、電源遮断時（電源スイッチ１２２の操作による電源遮断をも含む。以下同様）のスタックポインタや、各レジスタ、Ｉ／Ｏ等の値を記憶しておくためのエリアであり、停電解消時（電源スイッチ１２２の操作による電源投入をも含む。以下同様）には、バックアップエリアの情報に基づいてスロットマシン１０の状態が電源遮断前の状態に復帰できるようになっている。バックアップエリアへの書き込みは停電時処理によって電源遮断時に実行され、バックアップエリアに書き込まれた各値の復帰は電源投入時のメイン処理において実行される。なお、ＣＰＵ１５１のＮＭＩ端子（ノンマスカブル割込端子）には、停電等の発生による電源遮断時に、停電監視回路１６１ｂからの停電信号が入力されるように構成されており、停電等の発生に伴うＮＭＩ割込み処理が即座に実行される。
【００７３】
従って、遊技ホールの営業が終了する場合のように通常手順で電源を遮断すると遮断前の状態が記憶保持されるが、リセット操作を行いつつ電源スイッチ１２２をオンすると、バックアップデータがリセットされるようになっている。リセット操作は、リセット検出センサ６４０が検出し、主制御装置１３１に対し検出信号を出力する。主制御装置１３１は、この検出信号に基づいて、リセット操作があったことを把握することができる。これにより、例えばホッパーエラー等のエラー状態のリセットを、前面扉１２を開放することなく行うことも可能となる。
【００７４】
なお、電源装置１６１の電源部１６１ａは、上述したＮＭＩ割込み処理及び停電時処理を実行するのに十分な時間、制御系の駆動電圧として使用される安定化電圧（５ボルト）の出力が保持されるように構成されている。本実施形態では、３０ｍｓｅｃの間、駆動電圧が出力され続けるようになっている。
【００７５】
次に、本発明の特徴である補助表示装置１０００について図面を参照して詳細に説明する。図１０は補助表示装置１０００の可動部材が動作していない通常時の状態を示す分解斜視図であり、正面側右斜め上方から視認した状態を示す。図１１は補助表示装置１０００の可動部材が動作していない通常時の状態を示す正面図である。
図１０、図１１に示すように、補助表示装置１０００は、前面側中央部に矩形の表示画面１５ａを有する液晶表示器である補助表示部１５と、補助表示部１５の周縁部を囲むように装飾する略矩形の枠状体である可動役物装置２０００とから成る。補助表示部１５は、その下側部分を可動役物装置２０００（後述するベース部２１００）の背面側中央部上寄りに画成された空間である収納部（図示せず）に嵌め込まれ、ネジ止めにより固設されている。可動役物装置２０００は、補助表示部１５の表示画面１５ａに対向する部分が略開口しており、可動部材（右可動部５００及び左可動部６００等）が動作していない通常時には、補助表示部１５の表示画面１５ａの略全面が遊技者から視認可能となるように構成されている。
【００７６】
可動役物装置２０００は、図１０に示すように、右可動部５００及び左可動部６００とこれらを左右方向へスライド移動させる駆動部４００とを有する本体部２４００と、本体部２４００を支持し、本体部２４００の背面部及び周縁部を保護するようにその背面側に取り付けられるベース部２１００と、本体部２４００の駆動部４００を保護するようにその前面側に取り付けられるカバー部２２００と、カバー部２２００、本体部２４００及びベース部２１００の前面側に装飾のために取り付けられる複数の部材から成る装飾部２３００を備えている。本体部２４００の詳細については後述するが、左可動部６００及び右可動部５００は、通常時において補助表示部１５の表示画面１５ａの中心を通る垂線に関して略線対称な左右位置に配置されている。また、右可動部５００、左可動部６００は、それぞれ右スライダ５１０、左スライダ６１０（詳細は後述）を有し、各上端部にはそれぞれ、先端が後方に折れ曲がった上方に突出する突起片５１１、突起片６１１が形成されている。右可動部５００、左可動部６００は、遊技状況に応じて駆動する駆動部４００により、図１１に仮想線で示すように、補助表示部１５の表示画面１５ａ前面側中央部で合体して１つの意匠を構成し、その後再び分かれて元の収納位置に戻る。
【００７７】
ベース部２１００は、補助表示部１５の表示画面１５ａに対向する部分が略開口するように形成された合成樹脂製の略矩形の枠状体であり、前面側には左縁、右縁及び下縁から前方に突出するように延設された左壁１８０ｘ、右壁１８０ｙ及び下壁１８０ｚから成る収納スペース１８０が設けられている。また、ベース部２１００の上縁には前方に張り出した平面視略矩形の庇部１９０が形成されている。ベース部２１００の収納スペース１８０内には本体部２４００の背面側が収納され、ベース部２１００の下部前面側に本体部２４００の駆動部４００がネジ止め固定されている。また、カバー部２２００及び装飾部２３００は、本体部２４００又はベース部２１００の前面側にネジ止め固定されているが、その詳細については省略する。
【００７８】
装飾部２３００は、ベース部２１００の庇部１９０前面に前方に突出するように取り付けられる左右方向に長尺な平面視略矩形の板状の部材である上部レンズ３１０と、通常時に右可動部５００及び左可動部６００が遊技者から視認できないように、それぞれ、右可動部５００、左可動部６００の前方側に取り付けられる右造形物３２０、左造形物３３０と、カバー部２２００の前面を覆う下部造形物３４０とから成る。右造形物３２０の背面には合成樹脂の発泡体であるシート状のクッション材（図示せず）が貼着されている。このクッション材は、搬送時の揺れにより背面側に収納される右可動部５００の表面に擦れ傷がついてしまうのを防止するためのもので、島設備に設置後に右可動部５００が動作する際には接触することのないような厚さとなっている。なお、補助表示装置１０００は、上部レンズ３１０は、上述した上部ランプ１３の下側に位置するように、スロットマシン１０の前面扉１２に取り付けられ、また、ベース部２１００、左造形物３３０は、それぞれ独立又は関連して動作可能な可動部材Ａ，Ｂ、可動部材Ｃ，Ｄを有するが、その詳細については省略する。
【００７９】
図１２は図１１におけるＸ−Ｘ線断面図である。なお、図１２においては、便宜上、ベース部２１００、上部レンズ３１０、右可動部５００（突起片５１１）及び左可動部６００（突起片６１１）のみを表示している。
ここで、本体部２４００の詳細について説明する前に、右可動部５００及び左可動部６００の上端側の支持機構について説明する。図１２に示すように、ベース部２１００の庇部１９０の前面には、後方に向かって切り欠くように設けられた矩形状の凹部１９１が、庇部１９０の前面の中心を通る垂線に対して線対称な左右位置に２つ設けられている。これらの凹部１９１の前面側には、背面側が直線状である上部レンズ３１０が取り付けられ、ベース部２１００と上部レンズ３１０との間に直線状の空間であるガイド溝Ｚが２つ形成される。上述した右可動部５００の突起片５１１と左可動部６００の突起片６１１は、ガイド溝Ｚによってその前面側及び背面側が挟み込まれるように支持されている。また、図示しないが、庇部１９０の凹部１９１上方には、左右方向に延びる長溝が形成されており、突起片５１１、突起片６１１の、後方に曲折した先端（図１０参照）が滑動可能に嵌め込まれる。つまり、右可動部５００及び左可動部６００の上端側は、このガイド溝Ｚ及び長溝により左右方向へのスライド移動が案内される。また、ガイド溝Ｚの外側端部Ｚａや中央側（内側）端部Ｚｂは、それぞれ、右可動部５００及び左可動部６００が収納位置や合体位置へ移動する際のストッパの役目をしている。
【００８０】
図１３は本体部２４００の正面図であり、図１４は本体部２４００の背面図であり、図１５は本体部２４００の平面図である。図１６は本体部２４００の分解斜視図であり、前面側斜め上方から視認した状態を示す。図１７は本体部２４００の右演出役物を背面側斜め下方から視認した状態を示す斜視図であり、（ｂ）は左演出役物を背面側斜め下方から視認した状態を示す斜視図である。なお、これらの図面は、駆動部４００が動作していない通常時の状態、つまり、右可動部５００及び左可動部６００が収納された状態を示すものである。
以下、本体部２４００について図面を参照して詳細に説明する。本体部２４００は、右可動部５００及び左可動部６００とこれらを左右方向へスライド移動させる駆動部４００とを備えている。
【００８１】
駆動部４００は、横長形状に形成された合成樹脂製の略板部材であるサブベース板４１０と、サブベース板４１０の背面側に取り付けられた駆動源であるモータ４２０と、サブベース板４１０の背面下部に取り付けられたガイドシャフト４３０と、サブベース板４１０の前面側でありガイドシャフト４３０の右端部の上方に取り付けられ、モータ４２０により駆動される駆動プーリ４４０と、サブベース板４１０の前面側でありガイドシャフト４３０の左端部の上方に取り付けられた被動プーリ４５０と、駆動プーリ４４０及び被動プーリ４５０に掛けられた無端状のベルト４６０と、を有する。
【００８２】
サブベース板４１０は、その前面下部の左右端部及び中央部に前方に突出するように固定部４１１が形成され、棒状のガイドシャフト４３０が左右方向に延在するように嵌め込まれている。
サブベース板４１０の前面上部右側には２つの右孔４１２及び出力軸孔４１４が形成されている（図１４参照）。２つの右孔４１２には背面側から駆動源であるモータ４２０がネジａによって固設され、出力軸孔４１４にはモータ４２０の出力軸４２１がサブベース板４１０の前面側に突出するように挿通されている（図１６参照）。出力軸孔４２１は、サブベース板４１０の前面側において略円筒の歯車形状の回動体である駆動プーリ４４０に固着されており、モータ４２０の駆動力が伝達される。
【００８３】
サブベース板４１０の前面上部左側には３つの左孔４１３及びプーリ軸孔４１５が形成されている（図１６参照）。３つの左孔４１３には、サブベース板４１０の背面側からプーリホルダ４７０がネジｂによって固設され、プーリ軸孔４１５には、プーリホルダ４７０の前面に前方に突出するように形成された円筒状の保持突起４７１が、サブベース板４１０の前面側に突出するように挿入されている。保持突起４７１の中心軸部分には貫通する保持孔４７１ｘが形成されており、略円柱状のプーリ軸４７２が挿通され、その後端部はサブベース板４１０の背面側において略Ｃ字形状の係止具ｃ及びベルトバネｄによって回動可能に保持されている。プーリ軸４７２は、サブベース板４１０の前面側において略円筒の歯車形状の回動体である被動プーリ４５０に固着されており、被動プーリ４５０はサブベース板４１０に回動可能に保持される。ここで、回動とは、軸を中心として正転方向（時計回り）及び逆転方向（反時計回り）の両方向に円運動することであり、回動の動作の途中に円運動を停止することがあってもよい。
【００８４】
駆動プーリ４４０と被動プーリ４５０には、環状（無端状）で横断面が略矩形状のベルト４６０が架設されている。また、ベルト４６０が外れることのないように、駆動プーリ４４０及び被動プーリ４５０の背面側にはフランジ４４１，４５１が形成されており、各フランジ４４１,４５１に対向するように略円形板状のプーリカバ４４２，４５２が取り付けられている。このように、駆動部４００は、モータ４２０を駆動源として、駆動プーリ４４０及び被動プーリ４５０に掛けられたベルト４６０が正転方向及び逆転方向に移動するように構成されている。なお、ベルト４６０の内周面の一部には被動プーリ４５０の側壁面と噛み合うように凹凸部４６０ｘが形成されている。
【００８５】
サブベース板４１０には、後述する右可動部５００の右アーム５３０、左可動部６００の左アーム６３０を上下動させるための、右側に形成された右カム孔４１６と左側に形成された左カム孔４１７とが横並びに設けられている。
【００８６】
右カム孔４１６は、滑らかに連続する左上がりに形成された左右方向に長尺な湾曲した長孔であって、サブベース板４１０の右端側の略水平直線状の収納位置側直線部分４１６ａと、サブベース板４１０の中央側の略水平直線状の合体位置側直線部分４１６ｃと、収納位置側直線部分４１６ａと合体位置側直線部分４１６ｃの間に位置し、これらと滑らかに連続するように形成され、左下方に凸状に湾曲した略円弧状の曲線部分４１６ｂとから成る（図１８参照）。また、収納位置側直線部分４１６ａ及び合体位置側直線部分４１６ｃは緩やかに左上がりに傾斜しており、曲線部分４１６ｂは、その略中央部分が収納位置側直線部分４１６ａ及び合体位置側直線部分４１６ｃよりも急な左上がりの傾斜となっており、両端側に向かって徐々に傾斜が緩くなっている。
【００８７】
左カム孔４１７は、滑らかに連続する左上がりに形成された左右方向に長尺な湾曲した長孔であって、サブベース板４１０の左端側の略水平直線状の収納位置側直線部分４１７ａと、サブベース板４１０の中央側の略水平直線状の合体位置側直線部分４１７ｃと、収納位置側直線部分４１７ａと合体位置側直線部分４１７ｃの間に位置し、これらと滑らかに連続するように形成され、右上方に凸状に湾曲した略円弧状の曲線部分４１７ｂとから成る（図１８参照）。また、収納位置側直線部分４１７ａ及び合体位置側直線部分４１７ｃは緩やかに左上がりに傾斜しており、曲線部分４１７ｂは、その略中央部分が収納位置側直線部分４１７ａ及び合体位置側直線部分４１７ｃよりも急な左上がりの傾斜となっており、両端側に向かって徐々に傾斜が緩くなっている。なお、合体位置側直線部分４１６ｃ、合体位置側直線部分４１７ｃは、他の部分と比べて、その水平方向の長さが短くなるように形成されている。
【００８８】
右可動部５００、左可動部６００は、駆動部４００が動作していない通常時には、それぞれ、補助表示部１５の右側方前面側に配置される右造形物３２０の後側の空間、補助表示部１５の左側方前面側に配置される左造形物３３０の後側の空間に、遊技者から視認できないように収納されている（図１０，１１参照）。駆動部４００が動作すると、右可動部５００は左方向に、左可動部６００は右方向に移動して、補助表示部１５の表示画面１５ａの前面側に現れ、表示画面１５ａの中央部前面側で合体して１つの意匠を構成する（図１１参照）。その後、駆動部４００が動作により、右可動部５００、左可動部６００は合体した時の動きと逆に動きで離反し元の位置に戻る。以下、適宜、通常時に右可動部５００、左可動部６００が収納されている位置を収納位置、右可動部５００、左可動部６００が合体する位置を合体位置という。
【００８９】
右可動部５００は、駆動部４００のベルト４６０及びガイドシャフト４３０に左右方向にスライド移動可能に取り付けられる右スライダ５１０と、右スライダ５１０に上下動可能に取り付けられ、サブベース板４１０の右カム孔４１６に沿って上下動する右アーム５３０と、右スライダ５１０の略中央部左端部に軸支され、右アーム５３０の上下動に伴って回動する右演出役物５５０を有する。
【００９０】
右スライダ５１０は、サブベース板４１０の前面側に配設される略Ｌ字形の縦長形状に形成された合成樹脂製の板状部材であり、下端側がガイドシャフト４３０により、上端側が上述したガイド溝Ｚ等により、左右方向の移動可能に支持されるとともに、周回するように設けられたベルト４６０に固着されている。具体的には、右スライダ５１０の下部には、背面側からガイドシャフト４３０を嵌め入れるために、後方に突出するように形成された横断面が略コの字状の背面側が開口した嵌込溝５１２が設けられており、前面側から取り付けられる押え部材５１３及びそれを固定するネジｅにより、左右方向へのスライド移動可能にガイドシャフト４３０に取り付けられている。
【００９１】
右スライダ５１０の下端部前面側には、左側方及び右側方に配置された駆動プーリ４４０及び被動プーリ４５０に掛けられたベルト４６０が上下方向に対面するように配設されている。右スライダ５１０の前面の嵌込溝５１２の上方にはベルト４６０を固定するための、左右方向に延びる対面する上下の壁面により画成された空間ｆが形成され、上側に位置するベルト４６０の一部分が嵌め込まれ、固定ネジ５１４によって外れることのないように固着されている。つまり、右スライダ５１０は、長溝、ガイド溝Ｚ及びガイドシャフト４３０により案内されつつ、モータ４２０の駆動力を伝達するベルト４６０の移動により、左右方向へスライド移動する。
【００９２】
右スライダ５１０の略中央左端部には、左方に膨出する左方凸部５１５と右方に凹んだ右方凹部５１８とが上下に並ぶように形成されており、左方凸部５１５には前方に突出する円筒状の軸支部５１６が設けられている。軸支部５１６の中心軸部分には前後に貫通する軸孔５１６ｘが形成されており、略円柱状の回動軸５１７が、先端側が軸孔５１６ｘの前面側から突出するように、背面側から挿通され、その後端部は略Ｃ字形状の係止具ｇによって回動可能に保持されている。回動軸５１７の先端側には右演出役物５５０（詳細は後述）が取り付けられる。また、右スライダ５１０の中央部には、この軸支部５１６を中心として中心角が略９０度の円弧状の長孔であるガイド孔５１９が、軸支部５１６を通り左右に延びる直線が線対称の軸となるようにして形成されている。
【００９３】
右スライダ５１０の前面側には、収納位置において右演出役物５５０と重なる箇所の上端側及び下端側に、それぞれ、前方に突出する突起５２０，５２１が設けられている。収納した際の衝撃により前後に揺れる右演出役物５５０を、背面側から支えることにより早期に揺れを収めることができる。なお、突起５２０，５２１の突出高さは、通常時の右スライダ５１０と右演出役物５５０との間隔よりも僅かに小さく、回動する右演出役物５５０に接触しないような大きさとなっている。
【００９４】
右スライダ５１０の右端側下部には、右方に突出する矩形状の検出突部５２２が設けられると共に、サブベース板４１０の右端側にはフォトセンサ５２５が搭載されており（図１６参照）、右スライダ５１０が起点位置にあることを検出できるようになっている。また、右スライダ５１０の背面には、右演出役物５５０の右役物基板５５３（図１７参照、詳細は後述）に接続される右中継基板５２７がネジｈにより固定されているがその詳細は省略する。
【００９５】
右アーム５３０は、右スライダ５１０とサブベース板４１０との間に配設される略Ｉ字形の縦長形状に形成された合成樹脂製の板状部材であり、その下端部背面側には後方に突出する円筒状の突起である駆動突起５３１が形成されている。駆動突起５３１は、サブベース板４１０の右側部分に形成された右カム孔４１６にサブベース板４１０の前面側から挿入され、サブベース板４１０の背面側から駆動突起５３１の外周に嵌め込まれる円筒状の保護部材である軸受５３２とネジｉとにより、右カム孔４１６に沿って移動可能に取り付けられている。
【００９６】
また、右アーム５３０は、その上部に上下方向に長い長孔である上支持孔５３３が、下部に上下方向に長い長孔である下支持孔５３４が設けられており、それぞれ背面側から挿通され右スライダ５１０に固着される上支持ネジ５２３、下支持ネジ５２４によって、上下移動可能に右スライダ５１０に支持されている。さらに、右アーム５３０は、その中央部に左右方向に長い長孔である作動孔５３５が形成されている。つまり、右アーム５３０は、上下移動可能に右スライダ５１０に支持されており、右スライダ５１０の左右方向の移動に連動して左右方向へ移動するとともに、右カム孔４１６に沿って駆動突起５３１が上下方向に移動して、作動孔５３５を上下方向に移動させる。
【００９７】
なお、上支持孔５３３及び下支持孔５３４の鉛直方向の長さは、右カム孔４１６の孔全体の鉛直方向の長さと略同じであり、作動孔５３５の左右方向の長さは、右カム孔４１６等により回動する作動突起５５７（図１７参照、詳細は後述）の動きを妨げない長さになっている。
また、左可動体６００にも同様に、左アーム６３０に上支持孔６３３、下支持孔６３４が形成され、左スライダ６１０に固着される上支持ネジ６２３、下支持ネジ６２４が設けられているが、右スライダ５１０の下支持ネジ５２４、右アーム５３０の下支持孔５３４は、他と異なっている。具体的には、下支持ネジ５２４にのみ、軸部に円筒状の保護部材５２４ｘが取り付けられおり、それに合わせて下支持孔５３４は他より幅広く形成されている。
【００９８】
右演出役物５５０は、「笑」の文字を図案化した右役物部５１１と、右役物部５１１の背面内側にネジ止めされる右役物基板５５３と、右役物基板５５３の背面内側にネジ止めされ、右役物部５１１及び右役物基板５５３を支持する略板状の右カバー部５５５とを有する（図１３，１７参照）。
【００９９】
右役物部５５１は、「笑」の文字と「口」の形状とを上下に組み合わせてデザイン化した１つの略円形の意匠を、その中心よりも下方で水平方向に分割した上側の略半円形状の板状体であり、「笑」の文字をデザイン化した部分である。分割面（合体位置において左演出役物６５０に対向する面）である右役物部５５１の側面５５１ｘは、収納位置において正面から視認して、上側部分が略Ｓ字状に、下側部分が略逆Ｓ字状に湾曲するように形成されており、中央を通る水平線に対して線対称な凹凸面となっている。右役物部５５１の背面内側には凹みが形成されており、ＬＥＤ（光源）等が一体的に取り付けられた右役物基板５５３が嵌着され、その背面側に右カバー部５５５が取り付けられている。
【０１００】
右カバー部５５５は、中央左端部の背面側（後方から視認すると中央右端部）に後方に突出する円筒状の連結軸部５５６が形成されている。右カバー部５５５は、この連結軸部５５６が側面５５１ｘの中央後方に位置するように、右役物部５５１に取り付けられている。連結軸部５５６は上述した右スライダ５１０の軸支部５１６と連通するように配設され、略円柱状の回動軸５１７が右スライダ５１０の背面側から軸支部５１６に挿通されて、連結軸部５５６に挿着されている。つまり、右役物部５５１（右演出役物５５０）は、後方に連結軸部５５６が形成されている側面５５１ｘの中央部（以下、回動点Ｐという）を中心点として右スライダ５１０に回動可能に軸支されている（図１３参照）。
【０１０１】
また、右カバー部５５５は、その背面側に、連結軸部５５６に対して右斜め４５度下方（後方から視認すると左斜め４５度下方）の位置に、後方に突出する基部にフランジ５５７ｘが設けられた円筒状の作動突起５５７が形成されている。作動突起５５７は、右スライダ５１０のガイド孔５１９を介して、右アーム５３０の作動孔５３５に挿入され、右アーム５３０の後方側から作動ピン５５８が固着されており、ガイド孔５１９内及び作動孔５３５内を移動可能に係止されている。つまり、作動突起５５７が右アーム５３０の作動孔５３５の上下動（段落００９６参照）に連動して鉛直方向の位置を変えることにより、右演出役物５５０は回動点Ｐを中心として回動する。具体的には、収納位置において「笑」の右側部分を下にした横臥状態であった右演出役物５５０は、スライド移動しながら逆転方向に略９０度回転し、合体位置において側面５５１ｘを下側に向けた起立姿勢となる（図１９〜２３参照）。なお、ガイド孔５１９の中心軸（軸支部５１６）方向の幅は作動突起５５７の直径よりも大きく、右演出役物５５０の回動には直接関係していない。
【０１０２】
右カバー部５５５には、連結軸部５５６に近い位置に略等脚台形状の挿入孔５５９が形成されており、右中継基板５２７と右役物基板５５３とを接続する図示しないワイヤーハーネス（配線部材）の一端側のコネクタがこの挿入孔５５９に挿入されて、右役物基板５５３の接続部５５３ｘに取り付けられる。右役物基板５５３と右カバー部５５５の間の空間にワイヤーハーネスを挟み込むことにより移動を抑制して、ワイヤーハーネスの擦れを防止することができる。
【０１０３】
左可動部６００は、駆動部４００のベルト４６０及びガイドシャフト４３０に左右方向にスライド移動可能に取り付けられる左スライダ６１０と、左スライダ６１０に上下動可能に取り付けられ、サブベース板４１０の左カム孔４１７に沿って上下動する左アーム６３０と、左スライダ６１０の略中央部左端部に軸支され、左アーム６３０の上下動に伴って回動する左演出役物６５０を有する。なお、左可動部６００は右可動部５００の各部材と移動方向等が異なるが、基本的な構成は略同じである。
【０１０４】
左スライダ６１０は、サブベース板４１０の前面側に配設される略逆Ｌ字形の縦長形状に形成された合成樹脂製の板部材であり、下端側がガイドシャフト４３０により、上端側が上述したガイド溝Ｚ等により、左右方向の移動可能に支持されるとともに、周回するように設けられたベルト４６０に固着されている。具体的には、左スライダ６１０の下部には、背面側からガイドシャフト４３０を嵌め入れるために、後方に突出するように形成された横断面が略逆コの字状の背面側が開口した嵌込溝６１２が設けられており、前面側から取り付けられる押え部材６１３及びそれを固定するネジｍにより、左右方向へのスライド移動可能にガイドシャフト４３０に取り付けられている。
【０１０５】
左スライダ６１０の下端部前面側には、左側方及び右側方に配置された駆動プーリ４４０及び被動プーリ４５０に掛けられたベルト４６０が上下方向に対面するように配設されている。左スライダ６１０の前面の嵌込溝６１２の上方にはベルト４６０を固定するための、左右方向に延びる対面する上下の壁面により画成された空間ｎが形成され、下側に位置するベルト４６０の一部分が嵌め込まれ、固定ネジ６１４によって外れることのないように固着されている。つまり、左スライダ６１０は、長溝、ガイド溝Ｚ及びガイドシャフト４３０により案内されつつ、モータ４２０の駆動力を伝達するベルト４６０の移動により、左右方向へスライド移動する。
【０１０６】
左スライダ６１０の略中央右端部には、左方に凹んだ左方凹部６１８と右方に膨出する右方凸部６１５とが上下に並ぶように形成されており、右方凸部６１５には前方に突出する円筒状の軸支部６１６が設けられている。軸支部６１６の中心軸部分には前後に貫通する軸孔６１６ｘが形成されており、略円柱状の回動軸６１７が、先端側が軸孔６１６ｘの前面側から突出するように、背面側から挿通され、その後端部は略Ｃ字形状の係止具ｏによって回動可能に保持されている。回動軸６１７の先端側には左演出役物６５０（詳細は後述）が取り付けられる。また、左スライダ６１０の中央部には、この軸支部６１６を中心として中心角が略９０度の円弧状の長孔であるガイド孔６１９が、軸支部６１６を通り左右に延びる直線が線対称の軸となるようにして形成されている。
【０１０７】
左スライダ６１０の前面側には、収納位置において左演出役物６５０と重なる箇所の上端側及び下端側に、それぞれ、前方に突出する突起６２０，６２１が設けられている。収納した際の衝撃により、前後に揺れる左演出役物６５０を背面側から支えることにより、早期に揺れを収めることができる。なお、突起６２０，６２１の突出する高さは、通常時の左スライダ６１０と左演出役物６５０との間隔よりも僅かに小さく、回動する左演出役物６５０に接触しないような大きさとなっている。また、左スライダ６１０の背面には、左演出役物６５０の左役物基板６５３に接続される左中継基板６２７（図１７参照、詳細は後述）がネジｐにより固定されているがその詳細は省略する。
【０１０８】
左アーム６３０は、左スライダ６１０とサブベース板４１０との間に配設される略Ｉ字形の縦長形状に形成された合成樹脂製の板部材であり、その下端部背面側には後方に突出する円筒状の突起である駆動突起６３１が形成されている。駆動突起６３１は、サブベース板４１０の左側部分に形成された左カム孔４１７にサブベース板４１０の前面側から挿入され、サブベース板４１０の背面側から駆動突起６３１の外周に嵌め込まれる円筒状の保護部材である軸受６３２とネジｑとにより、左カム孔４１７に沿って移動可能に取り付けられている。
【０１０９】
また、左アーム６３０は、その上部に上下方向に長い長孔である上支持孔６３３が、下部に上下方向に長い長孔である下支持孔６３４が設けられており、それぞれ背面側から挿通され左スライダ６１０に固着される上支持ネジ６２３、下支持ネジ６２４によって、上下移動可能に左スライダ６１０に支持されている。さらに、左アーム６３０は、その中央部に左右方向に長い長孔である作動孔６３５が形成されている。つまり、左アーム６３０は、上下移動可能に左スライダ６１０に支持されており、左スライダ６１０の左右方向の移動に連動して左右方向へ移動するとともに、左カム孔４１７に沿って駆動突起６３１が上下方向に移動して、作動孔６３５を上下方向に移動させる。
【０１１０】
なお、上支持孔６３３及び下支持孔６３４の鉛直方向の長さは、左カム孔４１７の孔全体の鉛直方向の長さと略同じであり、作動孔６３５の左右方向の長さは、左カム孔４１７等により回動する作動突起６５７（図１７参照、詳細は後述）の動きを妨げない長さになっている。
【０１１１】
左演出役物６５０は、「口」の形状を装飾化した左役物部６５１と、左役物部６５１の背面側にネジ止めされる左役物基板６５３と、左役物基板６５３を覆うように左役物部６１１の背面内側にネジ止めされ、左役物部６１１及び左役物基板６５３を支持する略板状の左カバー部６５５とを有する（図１３，１７参照）。
【０１１２】
左役物部６５１は、「笑」の文字と「口」の形状とを上下に組み合わせてデザイン化した１つの略円形の意匠を、その中心よりも下方で水平方向に分割した下側の略半円形状の板状体であり、「口」の形状をデザイン化した部分である。分割面（合体位置において右演出役物５５０に対向する面）である左役物部６５１の側面６５１ｘは、収納位置において正面から視認して、上側部分が略Ｓ字状に、下側部分が略逆Ｓ字状に湾曲するように形成されており、中央を通る水平線に対して線対称な凹凸面となっている。左役物部６５１の背面内側には凹みが形成されており、ＬＥＤ（光源）等が一体的に取り付けられた左役物基板６５３が嵌着され、その背面側に左カバー部６５５が取り付けられている。なお、合体位置において、側面６５１ｘの凹凸は上述した右役物部５５１の側面５５１ｘの凹凸に入り込むような形状となっており、右演出役物５５０と左演出役物６５０との隙間が小さくなるように形成されている。
【０１１３】
左カバー部６５５は、中央右端部の背面側（後方から視認すると中央左端部）に後方に突出する円筒状の連結軸部６５６が形成されている。左カバー部５５５は、この連結軸部６５６が側面６５１ｘの中央後方に位置するように、左役物部６５１に取り付けられている。連結軸部６５６は上述した左スライダ６１０の軸支部６１６と連通するように配設され、略円柱状の回動軸６１７が左スライダ６１０の背面側から軸支部６１６に挿通されて、連結軸部６５６に挿着されている。つまり、左役物部６５１（左演出役物６５０）は、後方に連結軸部６５６が形成されている側面６５１ｘの中央部（以下、回動点Ｑという）を中心点として左スライダ６１０に回動可能に軸支されている。
【０１１４】
また、左カバー部６５５は、その背面側に、連結軸部６５６に対して左斜め４５度上方（後方から視認すると右斜め４５度上方）の位置に、後方に突出する基部にフランジ６５７ｘが設けられた円筒状の作動突起６５７が形成されている。作動突起５５７は、左スライダ６１０のガイド孔６１９を介して、左アーム６３０の作動孔６３５に挿入され、左アーム６３０の後方側から作動ピン５５８が固着されており、ガイド孔６１９内及び作動孔６３５内を移動可能に係止されている。つまり、作動突起６５７が左アーム６３０の作動孔６３５の上下動（段落１０９参照）に連動して鉛直方向の位置を変えることにより、左演出役物６５０は回動点Ｑを中心として回動する。具体的には、収納位置において口の一端部分を下にした横臥状態であった左演出役物６５０は、スライド移動しながら逆転方向に略９０度回転し、合体位置において側面６５１ｘを上側として本来の姿勢（口の左端部分と右端部分が水平方向に位置した姿勢、以下通常姿勢という）となる（図１９〜２３参照）。なお、ガイド孔６１９の中心軸（軸支部６１６）方向の幅は作動突起６５７の直径よりも大きく、左演出役物６５０の回動には直接関係していない。
【０１１５】
左カバー部６５５には、連結軸部６５６に近い位置に略等脚台形状の挿入孔６５９が形成されており、左中継基板６２７と左役物基板６５３とを接続する図示しないワイヤーハーネス（配線部材）の一端側のコネクタがこの挿入孔６５９に挿入されて、左役物基板６５３の接続部６５３ｘに取り付けられる。左役物基板６５３と左カバー部６５５の間の空間にワイヤーハーネスを挟み込むことにより移動を抑制して、ワイヤーハーネスの擦れを防止することができる。
【０１１６】
上述のように、右可動部５００の右スライダ５１０は周回するように移動するベルト４６０の上側部分に、左可動部６００の左スライダ６１０は周回するように移動するベルト４６０の下側部分にそれぞれ固着されているので、ベルト４６０の動きに連動して、右可動部５００及び左可動部６００が左右異なる方向へスライド移動する。具体的には、右可動部５００及び左可動部６００が収納位置にある状態から、ベルト４６０がその全体の長さの略四分の一の長さ分逆転方向に移動することによって、右可動部５００（右スライダ５１０）は右側方から中央の合体位置に、左可動部６００（左スライダ６１０）は左側方から中央の合体位置にスライド移動する。また、右可動部５００及び左可動部６００が合体位置にある状態から、ベルト４６０がその全体の長さの略四分の一の長さ分正転方向に移動することによって、右可動部５００（右スライダ５１０）は右方向に戻り、左可動部６００（左スライダ６１０）は左方向に戻って、それぞれの収納位置に納まる。つまり、ベルト４６０はその全体の長さの略四分の一の長さ分正逆回転するように、モータ４２０（駆動プーリ４４０）により駆動され、上述したベルト４６０の凹凸部４６０ｘは、被動プーリ４５０と噛み合う部分にのみ設けられている。
【０１１７】
図１８は、右可動部５００及び左可動部６００が収納位置にある状態を示す正面図である。図１９〜図２１は、右可動部５００及び左可動部６００が収納位置から合体位置へ移動する途中の状態を示す正面図であり、図１９は、右アーム５３０が収納位置側直線部分４１６ａと曲線部分４１６ｂの境目に、左アーム６３０が収納位置側直線部４１７ａと曲線部分４１７ｂの境目にある状態を、図２０は、右アーム５３０、左アーム６３０が、それぞれ曲線部分４１６ｂ、曲線部分４１７ｂにある状態を、図２１は右アーム５３０が曲線部分４１６ｂと合体位置側直線部分４１６ｃの境目に、左アーム６３０が曲線部分４１７ｂと合体位置側直線部分４１７ｃの境目にある状態を示す。図２２は、右可動部５００及び左可動部６００が合体位置にある状態を示す正面図である。なお、図１８〜図２２は、便宜上、サブベース板４１０、右アーム５３０、左アーム６３０、右スライダ５１０、左スライダ６１０、右演出役物５５０、左演出役物６５０と、止めネジ等の部材５２３，５２４，６２３，６２４のみを模式的に示してある。以下、図１８〜図２２を参照して、右可動部５００及び左可動部６００の動きについて、詳細に説明する。
【０１１８】
まず、右可動部５００の動きについて説明する。
ベルト４６０に固着された右スライダ５１０は、ベルト４６０の動きに連動して中央の合体位置に向って水平移動する。この右スライダ５１０には上支持ネジ５２３及び下支持ネジ５２４が固定されており、これらにより右アーム５３０が収納位置において上方向へ移動可能に支持されている。具体的には、収納位置において、図１８に示すように、右アーム５３０は最も下方に位置し、右スライダ５１０の上支持ネジ５２３及び下支持ネジ５２４は右アーム５３０の上支持孔５３３及び下支持孔５３４の最上端部に位置している。右スライダ５１０の背面側下端部に形成された駆動突起５３１は、サブベース板４１０の右カム孔４１６に挿入されており、右アーム５３０は、右スライダ５１０の中央への移動に連動して中央へ移動するとともに、駆動突起５３１が右カム孔４１６の下側内壁面に当接して、図１９〜図２１に示すように、徐々に上方向に押し上げられる。そして、図２２に示すように、合体位置において、右アーム５３０は最も上方に移動する。なお、このとき、右スライダ５１０の上支持ネジ５２３及び下支持ネジ５２４は右アーム５３０の上支持孔５３３及び下支持孔５３４の最下端部に位置している。
【０１１９】
右アーム５３０の中央部には作動孔５３５が形成されており、右スライダ５１０のガイド孔５１９を介して右演出役物５５０の作動突起５５７が挿入されている。また、右演出役物５５０は、スライダ５１０の略中央左端部（軸支部５１６）に連結軸部５５６が回動可能に軸支されている。右アーム５３０の作動孔５３５の上方向のへ移動により、右演出役物５５０の作動突起５５７は連結軸部５５６（回動点Ｐ）を中心として、逆転方向に回転する。具体的には、図１８，１９に示すように、収納位置において横臥状態となっていた右演出役物５５０は、駆動突起５３１が右カム孔４１６の収納位置側直線部分４１６ａと曲線部分４１６ｂの境目に位置するまで、僅かな角度逆転方向に回転するだけで略水平方向にスライドして、補助表示部１５の表示画面１５ａ前方に出現する。その後、図２０に示すように、駆動突起５３１が右カム孔４１６の曲線部４１６ｂを通る間に、遊技者が視認できる位置において左にスライド移動しながら右演出役物５５０はダイナミックに側面５５１ｘが下側となるように逆転方向に回転し、図２２に示すように、駆動突起５３１が右カム孔４１６の曲線部分４１６ｂと合体位置側直線部分４１６ｃの境目に位置するときには、右演出役物５５０はその回転動作を略終え、右演出役物５５０の側面５５１ｘが略水平となる。そして、図２３に示すように、合体位置まで移動する際に駆動突起５３１が左にスライド移動しながら僅かに上方へ動くことにより、右演出役物５５０はさらに僅かに回転して側面５５１ｘが水平である起立姿勢となる。なお、合体位置から収納位置に戻る際には、駆動突起５３１は右カム孔４１６の上側内壁面に当設して徐々に下方向に押し下げられて、上述した動作と逆に動くが、その詳細については省略する。
【０１２０】
次に左可動部６００の動きについて説明する。なお、左可動部６００は、右可動部５００と異なり合体位置において側面６５１ｘが上側となるように回転する構成となっているが、基本的な動作機構は同じである。
ベルト４６０に固着された左スライダ６１０は、ベルト４６０の動きに連動して中央の合体位置に向って水平移動する。この左スライダ６１０には上支持ネジ６２３及び下支持ネジ６２４が固定されており、これらにより左アーム６３０が収納位置において下方向へ移動可能に支持されている。具体的には、収納位置において、図１８に示すように、左アーム６３０は最も上方に位置し、左スライダ６１０の上支持ネジ６２３及び下支持ネジ６２４は左アーム６３０の上支持孔６３３及び下支持孔６３４の最下端部に位置している。左スライダ６１０の背面側下端部に形成された駆動突起６３１は、サブベース板４１０の左カム孔４１７に挿入されており、左アーム６３０は、左スライダ６１０の中央への移動に連動して中央へ移動するとともに、駆動突起６３１が左カム孔４１７の上側内壁面に当接して、図１９〜図２１に示すように、徐々に下方向に押し下げられる。そして、図２２に示すように、合体位置において、左アーム６３０は最も下方に移動する。なお、このとき、左スライダ６１０の上支持ネジ６２３及び下支持ネジ６２４は左アーム６３０の上支持孔６３３及び下支持孔６３４の最上端部に位置している。
【０１２１】
左アーム６３０の中央部には作動孔６３５が形成されており、左スライダ６１０のガイド孔６１９を介して左演出役物６５０の作動突起６５７が挿入されている。また、左演出役物６５０は、スライダ６１０の略中央右端部（軸支部６１６）に連結軸部６５６が回動可能に軸支されている。左アーム６３０の作動孔６３５の下方向への移動により、左演出役物６５０の作動突起６５７は連結軸部６５６（回動点Ｑ）を中心として、逆転方向に回転する。具体的には、図１８，１９に示すように、収納位置において横臥状態となっていた左演出役物６５０は、駆動突起６３１が左カム孔４１７の収納位置側直線部分４１７ａと曲線部分４１７ｂの境目に位置するまで、僅かな角度逆転方向に回転するだけで略水平方向にスライドして、補助表示部１５の表示画面１５ａ前方に出現する。その後、図２０に示すように、駆動突起６３１が左カム孔４１７の曲線部４１７ｂを通る間に、遊技者が視認できる位置において左演出役物６５０は右にスライド移動しながらダイナミックに側面６５１ｘが上側となるように逆転方向に回転し、図２１に示すように、駆動突起６３１が左カム孔４１７の曲線部分４１７ｂと合体位置側直線部分４１７ｃの境目に位置するときには、左演出役物６５０はその回転動作を略終え、左演出役物６５０の側面６５１ｘが略水平となる。そして、図２２に示すように、合体位置まで移動する際に駆動突起６３１が僅かに下方へ動くことにより、左演出役物６５０は右にスライド移動しながらさらに僅かに回転して側面６５１ｘが水平である通常姿勢となる。なお、合体位置から収納位置に戻る際には、駆動突起６３１は左カム孔４１７の下側内壁面に当設して徐々に上方向に押し上げられて、上述した動作と逆に動くが、その詳細については省略する。
【０１２２】
このように、駆動突起５３１、駆動突起６３１が、それぞれ、右カム孔４１２の略直線状の収納位置側直線部分４１６ａ、左カム孔４１７の略直線状の収納位置側直線部分４１７ａを移動することにより、右可動部５００、左可動部６００は、表示画面１５ａの右側方、左側方に設けられた収納位置から略横臥状態で遊技者が視認できる位置に出現する。そして、右可動部５００、左可動部６００は、駆動突起５３１、駆動突起６３１が、それぞれ曲線部分４１６ｂ、曲線部分４１７ｂを移動することにより、遊技者の目の前で中央方向にスライド移動しながらダイナミックに略８０度逆回転して、右可動部５００の側面５５１ｘの凸部が左可動部６００の側面６５１ｘの凹部に、左可動部６００の側面６５１ｘの凸部が右可動部５００の側面５５１ｘの凹部に入り込むような位置まで移動する。さらに駆動突起５３１、駆動突起６３１が、それぞれ合体位置側直線部分４１６ｃ、合体位置側直線部分４１７ｃを移動することにより、右可動部５００、左可動部６００は、スライド移動しながら僅かに逆回転して、側面５５１ｘ及び側面６５１ｘの凹凸の形状に合わせて、傾斜に略沿うように合体位置まで移動する。合体位置において、右可動部５００、左可動部６００はスライド移動動作、回転移動動作を終え、それぞれ起立姿勢、通常姿勢となって表示画面１５ａの中央で合体し、１つのデザインの演出物となる。
【０１２３】
なお、合体位置に移動した際には、右スライダ５１０の左方凸部５１５が左スライダ６１０の右方凹部６１８に、左スライダ６１０の左方凸部６１５が右スライダ５１０の右方凹部５１８に入り込むようにして、右スライダ５１０の左側面と左スライダ６１０の右側面とが当接するように構成されている（図１４，２２参照）。また、ガイド溝Ｚをスライド移動する右スライダ５１０の突起片５１１及び左スライダ６１０の突起片６１１は、ガイド溝Ｚの中央側の端部Ｚｂ（図１２参照）に当接して停止する。
【０１２４】
本発明の補助表示装置１０００によれば、１つの演出物を略水平方向に延びる分割面（側面５５１ｘ，６５１ｘ）で２つに分割し、各分割体（右役物部５５１、左役物部６５１）を、通常時には遊技者から視認できないように補助表示部１５の表示画面１５ａの左右側方に横臥姿勢で収納し、遊技状況に応じて、表示画面１５ａの前方で合体させ、再び元の収納位置に戻すことができる。本発明の場合、演出物が文字と口の形とを上下に組み合わせたものであるので、垂直方向に分割すると文字自体も口の形も切断されてしまい美感性が損なわれてしまうため、略水平方向で分割している。分割した２つの部材を補助表示部１５の表示画面１５ａの左右側方に横臥状態で収納するので、スロットマシン１０内のスペースを有効に使用することができる。また、通常時には遊技者から視認できない位置にあり、遊技状況に応じて出没するので、遊技者に高揚感を与えることができる。
【０１２５】
右演出役物５５０及び左演出役物６５０は、合体位置に移動する際に同じ逆転方向に回転するので互いに干渉することなく補助表示部１５の前方で合体させることができる。また、右演出役物５５０、左演出役物６５０を略半円形状として、その中心点付近に回動点Ｐ，Ｑを設けることによって、右演出役物５５０及び左演出役物６５０を周囲の部材にぶつかることのない大きな部材として迫力のある動きとすることができる。
【０１２６】
右役物部５５１、左役物部６５１の分割面（側面５５１ｘ，６５１ｘ）は正面視において互いに入り込むような凹凸が形成されている。そのため、右役物部５５１、左役物部６５１を単に水平方向のスライド移動によって組み合わせるとすると、両部材がぶつからないように側面５５１ｘと側面６５１ｘの間の隙間を広く取る必要があり、一体感に欠けてしまう。本発明の補助表示装置１０００によれば、スライド移動と回転移動により、右役物部５５１、左役物部６５１を、側面５５１ｘ，６５１ｘの一方の凹凸が他方の凹凸に入り込む略直前の位置まで移動させ、その後凹凸部分の形状に合わせて、傾斜に沿うように斜め方向に動かして合体させるので、右役物部５５１と左役物部６５１との隙間を狭くして一体感のある１つのデザインとすることができる。側面５５１ｘ，６５１ｘの凹凸の形状に合わせて、カム孔４１６，４１７の形状を調節するだけで、右役物部５５１と左役物部６５１とをずれないように合体させることができる。合体位置に移動する寸前までに回転運動を略終わらせ、最後に右役物部５５１、左役物部６５１の凹凸部分の突出幅（凹み幅）に合わせて、スライド移動させながら僅かに回転させることによって、凹凸が上手く入り込むように合体させることができる。
【０１２７】
本発明の補助表示装置１０００によれば、曲線部分４１６ｂ，４１７ｂの水平方向の長さを長く、合体位置側直線部分４１６ｃ,４１７ｃの水平方向の長さを短くすることにより、遊技者の目の前で、右役物部５５１、左役物部６５１を略横臥状態から略起立姿勢、略通常姿勢となるようにダイナミックに回転させ、最後にピタリと合体させることができるので、遊技者に驚きを与えることができる。また、略直線状である部分４１６ａ，４１６ｃ，４１７ａ，４１７ｃを設けることにより、合体位置、収納位置で停止させる際に回転移動等による振動や衝撃を緩和させることができる。
また、合体位置において、右スライダ５１０と左スライダ６１０とが上述のように互いに当接し、また、その上端側がベース部材２１００の中央部に当接することによって、右可動部５００及び左可動部６００の位置が定まり、右演出役物５５０と左演出役物６５０とがきれいに組み合わさった状態で合体させることができる。さらに、収納位置から合体位置への移動による振動や衝撃を吸収し、部材のぐらつきを早期に収めることができる。
【０１２８】
回動する右演出役物５５０、左演出役物６５０は、略同じ重量であり、合体位置において、回動点Ｐ，Ｑに対して外側に対向するように設けられている。そのため、右可動部５００が合体位置に移動する際には、右演出役物５５０を重力に逆らい持ち上げる持ち上げ動作となり、収納位置に戻る際には、重力に従い下げる下げ動作となる。反対に、左可動部６００が合体位置に移動する際には、左演出役物６５０を重力に従い下げる下げ動作となり、収納位置に戻る際には、重力に逆らい持ち上げる持ち上げ動作となる。モータ４２０やベルト４６０に掛かる負荷は、持ち上げ動作では大きく下げ動作では小さくなるが、右可動部５００と左可動部６００とで動作が逆になっているので、負荷を分散させることができ、全体の移動動作の中でモータ４２０等に掛かる負荷を均等にすることができる。なお、右演出役物５５０、左演出役物６５０が異なる重さであっても、回動点Ｐ，Ｑと作動突起との長さを変化させることによって、ベルト４６０に掛かる負荷を調節することが可能である。
【０１２９】
右スライダ５１０の下支持ネジ５２４には、上述したようにその軸部に円筒状の保護部材５２４ｘが取り付けられている（段落００９７参照）。右アーム５３０の作動孔５３５には、左演出役物６５０よりも大きな部材である右演出役物５５０の作動突起５５７が挿入されており、重力に逆らう持ち上げ動作がなされる際には、右アーム５３０の下支持孔５３４に挿通された下支持ネジ５２４は、回動点Ｐ及び作動突起５５７から離れた位置に移動している（図２０，２１参照）。また、右アーム５３０の下支持孔５３４は、駆動突起５３１に近い位置にあるため、右演出役物５５０の回転動作等による振動や衝撃の影響を受け易く、下支持ネジ５２４との摩擦により内壁面が磨耗してしまう。これを防ぐために、下支持ネジ５２４には、保護部材５２４ｘを挿着して軸部の曲率を小さくするとともに、下支持孔５３４との接触面の摩擦係数を小さくしている。
【０１３０】
なお、補助表示装置１０００の各部材の形状、大きさ、構成等は、上述した実施例に限られず、本実施例の要旨を逸脱しない範囲で種々変更できる。例えば、右演出役物５５０の側面５５１ｘ、左演出役物６５０の側面６５１ｘの凹凸の形状、右カム孔４１６、左カム孔４１７の形状は上述したものに限らない。右カム孔４１６、左カム孔４１７は、右演出役物５５０及び左演出役物６５０を、右演出役物５５０の側面５５１ｘの凹凸と左演出役物６５０の側面６５１ｘの凹凸とが入り込む略直前の位置までスライド移動及び回転移動させて、その後凹凸の傾斜に沿って動かすように構成されていればよい。右演出役物５５０の右役物部５５１、左演出役物６５０の左役物部６５１の形状も上述したものに限らず、合体位置において回動点Ｐ，Ｑを中心として略対向するように設けられていればよい。
【０１３１】
補助表示装置１０００は補助表示部１５を備えた構成としており、表示画像を可動役物装置２０００と関連付けたものとすることが望ましいが、補助表示部１５は必ずしも必要な構成ではない。
補助表示装置１０００においては、サブベース板４１０をベース部２１００と別部材としたが、一体としても、３つ以上の部材からなるものとしてもよく、右可動部５００及び左可動部６００をスライド移動可能に支持するように構成されていればよい。駆動部４００も上述した構成に限らず、右可動部５００及び左可動部６００をスライド移動可能に支持し、右カム孔４１６及び左カム孔４１７により、上述のように凹凸のある側面５５１ｘ，６５１ｘを有する演出役物５５１，６５１を干渉しないように合体することができればよい。右可動部５００及び左可動部６００の上端側の支持機構についても、スライダ５１０，６１０の突起片５１１，６１１がスライド移動可能に案内される構成であればよい。また、本実施例においては、右可動部５００及び左可動部６００が水平方向にスライド移動するように、可動役物装置２０００をスロットマシン１０に配設しているがこれに限らず、例えば、斜め方向や上下方向にスライド移動するように配設することも可能である。
【０１３２】
最後に確認事項として上述した実施の形態から抽出される特徴について、必要に応じて効果等を示しつつ説明する。
【０１３３】
［遊技機１］
遊技状況を検出する遊技状況検出手段と、該遊技状況検出手段が検出した遊技状況に応じて、１つの演出物を２分割するようにして形成した第１の演出役物及び前記第２の演出役物を組み合わせて一つのデザインが構成されるように動作する可動役物装置とを備えた遊技機であって、前記可動役物装置は、前記遊技機に取り付けられる略矩形の窓枠状の支持部と、該支持部にスライド移動可能に支持される第１の可動部及び第２の可動部と、を備え、  前記第１の可動部は、スライド移動する第１のスライダと、該第１のスライダに回動可能に軸支された前記第１の演出役物と、該第１のスライダのスライド移動に伴い該第１の演出役物を回動させる第１のアーム部と、を有し、前記第２の可動部は、スライド移動する第２のスライダと、該第２のスライダに回動可能に軸支された前記第２の演出役物と、該第２のスライダのスライド移動に伴い該第２の演出役物を回動させる第２のアーム部と、を有し、前記支持部は、前記第１のスライダ及び前記第２のスライダを逆方向にスライド移動させるとともに、前記第１の演出役物と前記第２の演出役物とを同じ回転方向に回動させる駆動機構を有し、前記第１の演出役物及び前記第２の演出役物は、前記演出物を前記スライド移動の方向と略平行に分割するようにして形成され、収納時には両分割面が対向するように、前記支持部の一端側及び他端側の収納位置にそれぞれ収納され、作動時には該収納位置から回転しながら該支持部の略中央の合体位置へスライド移動して、該演出物のデザインを構成するように組み合わされる、ことを特徴とする遊技機。
この遊技機によれば、遊技機内のスペースを有効利用して、第１の演出役物と第２の演出役物をコンパクトに収納することができ、第１の演出役物と第２の演出役物を大きな部材としてダイナミックに回転させることができるので、迫力のある動きで遊技者の興趣を高めることができる。
【０１３４】
［遊技機２］
上記遊技機１において、前記支持部には、一端側が上方に他端側が下方に位置するように略同じ方向に傾斜した長孔である第１のカム孔と第２のカム孔が横並びに形成され、前記第１のアーム部は、前記第１のカム孔に係合される第１の駆動突起と、前記第１の演出役物を回動させるための第１の作動孔と、を有し、前記第２のアーム部は、前記第２のカム孔に係合される第２の駆動突起と、前記第２の演出役物を回動させるための第２の作動孔と、を有し、前記第１の演出役物は、前記第１の作動孔に係合される第１の作動突起を有し、前記第２の演出役物は、前記第２の作動孔に係合される第２の作動突起を有し、前記第１のアーム部は、前記第１のスライダに上下動可能に支持され、前記第１のスライダのスライド移動に連動してスライド移動するとともに、前記第１の駆動突起が前記第１のカム孔に沿って移動することにより上下動し、前記第１演出役物は、前記第１のアーム部の第１の作動孔が上下動することにより、該第１の作動孔に係合された第１の作動突起が上下動して、前記第１のスライダに軸支された第１の軸支部を中心として回動し、前記第２のアーム部は、前記第２のスライダに上下動可能に支持され、前記第２のスライダのスライド移動に連動してスライド移動するとともに、前記第２の駆動突起が前記第２のカム孔に沿って移動することにより上下動し、前記第２演出役物は、前記第２のアーム部の第２の作動孔が上下動することにより、該第２の作動孔に係合された第２の作動突起が上下動して、前記第２のスライダに軸支された第２の軸支部を中心として回動する、ことを特徴とする遊技機。
この遊技機によれば、第１のカム孔、第２のカム孔の形状を調節することにより、第１の演出役物、第２の演出役物の回転角度や回転速度を容易にコントロールすることができる。
【０１３５】
［遊技機３］
上記遊技機２において、前記第１の演出役物及び前記第２の演出役物の前記分割面には、合体した際に互いに入り込むような凹凸が形成されており、前記第１のカム孔及び前記第２のカム孔は、前記合体位置側に前記収納位置側によりも傾斜の緩やかな略直線状の部分である合体位置側直線部分を設けられ、前記合体位置側直線部分に到達するまでに、該第１の演出役物及び該第２の演出役物を、一方の凹凸が他方の凹凸に入り込む略直前の位置まで早い速度で回転させて回転移動を略終え、該合体位置側直線部分の移動により僅かに回転移動させて該凹凸部の傾斜に略沿うように斜め方向に移動させて合体するように構成した、ことを特徴とする遊技機。
この遊技機によれば、第１の演出役物及び第２の演出役物の分割面に、合体した際に互いに入り込むような凹凸が形成されていても、それらを干渉させることなく僅かな隙間で合体させることができる。
【０１３６】
［遊技機４］
上記遊技機２又は３において、前記駆動機構は、水平方向に配設された駆動プーリ及び被動プーリと、これらプーリに掛装された無端状のベルトと、該駆動プーリを回転駆動する駆動手段と、を有し、前記第１のスライダは、正面視において前記ベルトの上側部分と下側部分とのどちらか一方に固設されており、前記第２のスライダは、正面視において前記ベルトの上側部分と下側部分とのどちらか他方に固設されている、ことを特徴とする遊技機。
この遊技機によれば、ベルトの正転回転、逆転回転により、第１の可動部と第２の可動部とを連動するように移動させることができる。また、第１の演出役物を持ち上げるように回転させる際には、第２の演出役物は重力に従うように回転し、第２の演出役物を持ち上げるように回転させる際には、第１の演出役物は重力に従うように回転させるので、ベルトや駆動手段にかかる負担を分散するとすることができる。
【０１３７】
［遊技機５］
上記遊技機２乃至４において、前記第１スライダ又は／及び第２スライダの前面側には、正面視において収納位置に収納される前記第１の演出役物、前記第２の演出役物と重なる上端側又は／及び下端側に、前方に突出する突起が設けられている、ことを特徴とする遊技機。
この遊技機によれば、収納位置に収納した際の衝撃により前後に揺れる第１の演出役物又は／及び第２の演出役物を、背面側から支えることにより早期に揺れを収めることができる。
【０１３８】
以上のようにこれらの遊技機１〜５では、上述のように一つの演出物を分割して横臥状態で収納するので、第１の演出役物と第２の演出役物を大きな部材としてダイナミックに回転させることができ、迫力のある動きで遊技者の興趣を高めることができる。
【０１３９】
また、上記実施の形態とは異なるタイプの遊技機、具体的には遊技媒体として遊技球を用いる弾球式の遊技機いわゆるパチンコ機等に本発明を適応してもよい。例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機として本発明を実施するようにしても良い。
さらに、弾球式でない遊技機、例えば、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機として本発明を実施するようにしても良い。具体的には以下の通りである。
【０１４０】
本発明は遊技機１〜５のいずれかにおいて、前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１４１】
本発明は上記遊技機１〜５のいずれかにおいて、前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０１４２】
本発明は遊技機１〜５のいずれかにおいて、前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手投（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０１４３】
本発明の遊技機は、主にスロットマシン、パチンコ機、パロット機の遊技機に利用することができるが、２つの部材を合体するように組み合わせる動作をさせる必要のあるこれ以外の様々な機器にも応用して利用することができる。
【符号の説明】
【０１４４】
１０…遊技機としてのスロットマシン、１５…補助表示部、１５ａ…表示画面、１０００…補助表示装置、２０００…可動役物装置、２１００…ベース部、２２００…カバー部、２３００…装飾部、２４００…本体部、３１０…上部レンズ、３２０…右造形物、３３０…左造形物、３４０…下部造形物、４００…駆動部、４１０…サブベース板、４１６…右カム孔、４１７…左カム孔、４２０…モータ、４３０…ガイドシャフト、４４０…駆動プーリ、４５０…被動プーリ、４６０…ベルト、５００…右可動部、５１０…右スライダ、５３０…右アーム、５５０…右演出役物、６００…左可動部、６１０…左スライダ、６３０…左アーム、６５０…左演出役物、５２３，６２３…上支持ネジ、５２４，６２４…下支持ネジ、５３１，６３１…駆動突起、５３３，６３３…上支持孔、５３４，６３４…下支持孔、５３５，６３５…作動孔、５５７，６５７…作動突起
【図１】
2015023889.tif 000003
【図２】
2015023889.tif 000004
【図３】
2015023889.tif 000005
【図４】
2015023889.tif 000006
【図５】
2015023889.tif 000007
【図６】
2015023889.tif 000008
【図７】
2015023889.tif 000009
【図８】
2015023889.tif 000010
【図９】
2015023889.tif 000011
【図１０】
2015023889.tif 000012
【図１１】
2015023889.tif 000013
【図１２】
2015023889.tif 000014
【図１３】
2015023889.tif 000015
【図１４】
2015023889.tif 000016
【図１５】
2015023889.tif 000017
【図１６】
2015023889.tif 000018
【図１７】
2015023889.tif 000019
【図１８】
2015023889.tif 000020
【図１９】
2015023889.tif 000021
【図２０】
2015023889.tif 000022
【図２１】
2015023889.tif 000023
【図２２】
2015023889.tif 000024